(57)【要約】電動機の回転軸に取り付けられた遠心ファンと、遠心ファンから排出された空気が流れ込むエアガイドと、を備え、エアガイドは、仕切り板と、仕切り板の遠心ファン側の面に設けられ、且つ、遠心ファンの側方を囲むように設けられた複数のディフューザ翼と、仕切り板の遠心ファンの反対側の面に設けられた複数の戻り翼とを有し、エアガイドの外周領域には、ディフューザ通風路または折り返し通風路と戻り通風路とを連通させる貫通孔が設けられている。
2019176625.tif 000002
【特許請求の範囲】
【請求項１】
回転子および前記回転子に取り付けられた回転軸を有する電動機と、
前記回転軸に取り付けられた遠心ファンと、
前記遠心ファンから排出された空気が流れ込み、
前記遠心ファンが位置する側を遠心ファン側の面とし、前記遠心ファン側の面の反対側を遠心ファンの反対側の面とする、仕切り板と、
前記遠心ファン側の面に、
前記遠心ファンの側方を囲むように設けられた複数のディフューザ翼と、
前記複数のディフューザ翼のうち隣り合う一組のディフューザ翼によってそれぞれ形成される、第１のディフューザ通風路と、前記第１のディフューザ通風路と隣り合う第２のディフューザ通風路と、を含む、ディフューザ通風路と、
前記遠心ファンの反対側の面に、
複数の戻り翼と、
前記複数の戻り翼のうち隣り合う一組の戻り翼によってそれぞれ形成され、前記第１のディフューザ通風路と連絡する第１の戻り通風路と、前記第１の戻り通風路と隣り合う第２の戻り通風路と、を含む、戻り通風路と、
前記ディフューザ通風路と前記戻り通風路のそれぞれを連絡する折り返し通風路と、
を有するエアガイドと、
を備え、
前記エアガイドの外周領域には、前記ディフューザ通風路または折り返し通風路と前記戻り通風路とを連通させる貫通孔を有する、
電動送風機。
【請求項２】
前記貫通孔は、前記仕切り板の外周領域に設けられており、且つ、前記ディフューザ通風路と前記戻り通風路とを連通させている、
請求項１に記載の電動送風機。
【請求項３】
前記貫通孔は、前記ディフューザ通風路の終端領域に位置する、
請求項２に記載の電動送風機。
【請求項４】
前記貫通孔は、前記第１のディフューザ通風路と、前記第２の戻り通風路とを連通させている、
請求項２または３に記載の電動送風機。
【請求項５】
前記エアガイドは、前記第１のディフューザ通風路と前記第１の戻り通風路とを連絡する第１の折り返し通風路をさらに有し、
前記貫通孔は、前記第１の折り返し通風路と、前記第２の戻り通風路とを連通させている、
請求項２または３に記載の電動送風機。
【請求項６】
前記エアガイドは、複数の前記ディフューザ通風路のそれぞれを流れる空気を複数の前記折り返し通風路のそれぞれに導く複数のガイド翼を有し、
複数の前記ガイド翼は、前記複数のディフューザ翼のそれぞれと連続して設けられ、
前記エアガイドを上面視したときに、前記複数のディフューザ翼のそれぞれと前記複数のガイド翼のそれぞれとの境界点を結んでできる円または多角形を境界線とすると、前記貫通孔が設けられた前記エアガイドの外周領域は、前記境界線よりも外側の領域である、
請求項１〜５のいずれか一項に記載の電動送風機。
【請求項７】
前記複数のガイド翼は、前記仕切り板から突出して設けられている、
請求項６に記載の電動送風機。
【請求項８】
前記複数のガイド翼が有する側面は、前記ガイド翼と連続して設けられた前記複数のディフューザ翼のひとつが有する側面に対して傾斜している、
請求項６または７に記載の電動送風機。
【請求項９】
前記貫通孔は、複数の前記ディフューザ通風路の各々に複数ずつ設けられている、
請求項１〜８のいずれか一項に記載の電動送風機。
【請求項１０】
前記ディフューザ通風路に設けられた前記複数の貫通孔には、開口面積が異なる第１貫通孔と第２貫通孔とが含まれる、
請求項９に記載の電動送風機。
【請求項１１】
請求項１〜１０のいずれか一項に記載の電動送風機と、
前記電動送風機を制御する制御部と、
を備える、
電気掃除機。
【請求項１２】
請求項１〜１０のいずれか一項に記載の電動送風機と、
前記電動送風機を制御する制御部と、
を備える、
エアタオル。
【発明の詳細な説明】
【技術分野】
【０００１】
本開示は、電動送風機、電気掃除機およびエアタオルに関する。本開示は、特に、家庭用電気機器等に使用される電動送風機および電動送風機を用いた電気掃除機、エアタオル等の電気機器に関する。
【背景技術】
【０００２】
電気掃除機等に搭載される電動送風機は、高出力化に伴って騒音が増大している。一方、電気掃除機の本体は小型化が進んでいるため、電気掃除機の本体側で防音対策を行う空間が少なくなってきている。このため、近年では、電動送風機自身によって電動送風機の騒音を抑制することが要望されている。【０００３】
電気掃除機に搭載される電動送風機では、回転ファンとして、高い吸引圧力が得られる遠心ファンが採用されている。この遠心ファンは、電動機が有する回転軸に取り付けられている。遠心ファンが、高速で回転することにより、所望の風量と圧力とを発生させている。【０００４】
遠心ファンを用いた電動送風機としては、例えば、電動機と、電動機が有する回転軸に取り付けられた遠心ファンと、遠心ファンの外周側に配置されたディフューザ翼を有するエアガイドと、遠心ファンおよびエアガイドを覆うファンケースとを有するものが知られている。【０００５】
このように構成された電動送風機では、エアガイドが有するディフューザ翼とファンケースとによって、遠心ファンから排出された空気が流れ込む通風路が形成されている。遠心ファンからエアガイドに流入した空気は、エアガイドに形成された通風路を通過した後、電動機を収納するブラケットの内部空間を通って、ブラケットが有する開口部から外部に排出される。【０００６】
遠心ファンからエアガイドに流れる空気については、遠心ファンの回転数（Ｎ）と遠心ファンの翼数（Ｚ）との積に対応する周波数の音、いわゆるＮＺ音が発生する。電動送風機の騒音の中では、このＮＺ音が最も音圧が大きい要素となっている。このＮＺ音は、エアガイドに形成された通風路の形状を工夫することによって、抑制することができる。【０００７】
従来、エアガイドに形成された通風路を構成するディフューザ翼（静翼）の板面の一部に貫通孔を設けることで、電動送風機自身から発生する騒音を抑制する技術が提案されている（特許文献１を参照）。【０００８】
特許文献１に開示された技術は、通風路の中間部分におけるディフューザ翼の板面に貫通孔を設けることで、音波の圧力変動を抑制して、電動送風機の騒音を小さくしようとするものである。【０００９】
しかしながら、遠心ファンから排出される空気は、遠心ファンが回転することにより昇圧される。エアガイドが有するディフューザ翼は、昇圧されて遠心ファンから排出された空気の流れの速度を徐々に下げて、圧力を回復させる役目を担っている。よって、通風路の中間部分におけるディフューザ翼に貫通孔を設けると、通風路を流れる空気の速度が充分に減速していない箇所で空気の流れに乱れが生じることになる。このため、ディフューザ翼における通風路での圧力回復に損失を生じさせる結果となり、電動送風機としての性能が低下する。【００１０】
このように、特許文献１に開示された電動送風機は、騒音を抑制することができるものの、電動送風機本来の性能を低下させてしまうという問題がある。
【先行技術文献】
【特許文献】
【００１１】
【特許文献１】特開平１１−３５１１９６号公報
【発明の概要】
【００１２】
本開示は、このような問題を解決するためになされたものである。本開示は、性能を低下させることなく騒音を抑制することができる電動送風機とこの電動送風機を用いる電気掃除機、エアタオル等を提供することを目的とする。
【００１３】
上記目的を達成するために、本開示に係る電動送風機の一態様は、回転子および回転子に取り付けられた回転軸を有する電動機と、回転軸に取り付けられた遠心ファンと、遠心ファンから排出された空気が流れ込み、遠心ファンが位置する側を遠心ファン側の面とし、遠心ファン側の面の反対側を遠心ファンの反対側の面とする、仕切り板と、遠心ファン側の面に、遠心ファンの側方を囲むように設けられた複数のディフューザ翼と、複数のディフューザ翼のうち隣り合う一組のディフューザ翼によってそれぞれ形成される、第１のディフューザ通風路と、第１のディフューザ通風路と隣り合う第２のディフューザ通風路と、を含む、ディフューザ通風路と、遠心ファンの反対側の面に、複数の戻り翼と、複数の戻り翼のうち隣り合う一組の戻り翼によってそれぞれ形成され、第１のディフューザ通風路と連絡する第１の戻り通風路と、第１の戻り通風路と隣り合う第２の戻り通風路と、を含む、戻り通風路と、ディフューザ通風路と戻り通風路のそれぞれを連絡する折り返し通風路と、を有するエアガイドと、を備え、エアガイドの外周領域には、ディフューザ通風路または折り返し通風路と戻り通風路とを連通させる貫通孔を有する。
【００１４】
また、本開示に係る電気掃除機の一態様は、上記の電動送風機と、電動送風機を制御する制御部と、を備える。
【００１５】
また、本開示に係るエアタオルの一態様は、上記の電動送風機と、電動送風機を制御する制御部と、を備える。
【００１６】
本開示により、電動送風機の性能を低下させることなく、騒音を抑制することができる電動送風機とそれを用いる電気掃除機、エアタオル等を実現することができる。
【図面の簡単な説明】
【００１７】
【図１】図１は、実施の形態１に係る電動送風機の外観斜視図である。
【図２】図２は、実施の形態１に係る電動送風機の半断面図である。
【図３】図３は、実施の形態１に係る電動送風機の分解斜視図である。
【図４】図４は、実施の形態１に係る電動送風機の、ファンケースを外した状態の上面図である。
【図５】図５は、実施の形態１に係る電動送風機に用いられるエアガイドを表側（ファンケース側）から見たときの斜視図である。
【図６】図６は、実施の形態１に係る電動送風機に用いられるエアガイドを裏側（回転子側）から見たときの斜視図である。
【図７】図７は、実施の形態１に係る電動送風機に用いられるエアガイドの上面図である。
【図８Ａ】図８Ａは、実施の形態１に係る電動送風機の水平断面図である。
【図８Ｂ】図８Ｂは、図８Ａの一点鎖線で囲まれる領域ＶＩＩＩＢの拡大上面図である。
【図９】図９は、図７の破線で囲まれる領域ＩＸの拡大上面図である。
【図１０】図１０は、比較例の電動送風機の構成を示す図である。
【図１１】図１１は、実施例の電動送風機のＰＱ特性と比較例の電動送風機のＰＱ特性とを示す図である。
【図１２】図１２は、実施例の電動送風機と比較例の電動送風機とにおける周波数に対する音圧レベルを示す図である。
【図１３】図１３は、変形例１に係るエアガイドの拡大上面図である。
【図１４】図１４は、変形例２に係るエアガイドの斜視図である。
【図１５】図１５は、実施の形態２に係る電気掃除機の一例を示す模式図である。
【図１６】図１６は、実施の形態２に係るエアタオルの一例を示す模式図である。
【発明を実施するための形態】
【００１８】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、構成要素の配置位置および接続形態等は、一例であって、本開示を限定する主旨ではない。よって、以下の実施の形態における構成要素のうち、本開示の最上位概念を示す独立請求項に記載されていない構成要素については、任意の構成要素として説明される。
【００１９】
なお、各図は、模式図であり、必ずしも厳密に図示されたものではない。また、各図において、実質的に同一の構成に対しては同一の符号を付しており、重複する説明は省略または簡略化する。
【００２０】
（実施の形態１）
図１〜図４を用いて、実施の形態１に係る電動送風機１について説明する。図１は、実施の形態１に係る電動送風機１の外観斜視図である。図２は、同電動送風機１の半断面図である。図３は、同電動送風機１の分解斜視図である。図４は、同電動送風機１の、ファンケース４０を外した状態の上面図である。なお、図２に示される太線矢印は、電動送風機１内に吸引した空気の流れを示している。
【００２１】
図１〜図４に示すように、本実施の形態における電動送風機１は、回転子１１および固定子１２を有する電動機１０と、電動機１０が有する回転軸１３に取り付けられた遠心ファン２０と、遠心ファン２０から排出された空気が流れ込むエアガイド３０と、遠心ファン２０およびエアガイド３０を覆うファンケース４０と、回転子１１および固定子１２を収納するブラケット５０とを備える。
【００２２】
電動機１０は、遠心ファン２０を回転させるモータである。本実施の形態における電動機１０は、ブラシ付き整流子電動機である。電動機１０は、回転子（ロータ）１１と、固定子（ステータ）１２と、回転軸１３と、整流子１４と、ブラシ１５と、第１軸受け部１６と、第２軸受け部１７とを備える。
【００２３】
回転子１１は、固定子１２による磁力によって回転軸１３を回転中心として回転する。本実施の形態において、回転子１１は、インナーロータであり、図２に示すように、固定子１２の内側に配置されている。具体的には、回転子１１は、固定子１２との間に微小なエアギャップを介して固定子１２に囲まれている。回転子１１は、コア１１ａと、コイル１１ｂとを有する。回転子１１は、例えば、４０，０００ｒｐｍ（ｒｅｖｏｌｕｔｉｏｎｓ  ｐｅｒ  ｍｉｎｕｔｅ）で高速回転する。
【００２４】
固定子１２は、回転子１１に作用する磁力を発生させる。本実施の形態において、固定子１２は、回転子１１を囲むように配置されている。固定子１２は、Ｓ極およびＮ極を有する永久磁石によって構成されていてもよいし、コア（ステータコア）と巻線コイル（ステータコイル）とによって構成されていてもよい。固定子１２は、例えば、ブラケット５０に固定されている。
【００２５】
回転軸１３は、回転子１１が回転する際の中心となるシャフトである。回転軸１３は、軸心Ｃ方向である長手方向に延伸している。回転軸１３は、例えば金属棒である。回転軸１３は、回転子１１に固定されている。具体的には、回転軸１３は、例えば、回転子１１の両側に延在するように回転子１１のコア１１ａの中心を貫いた状態でコア１１ａに固定されている。一例として、回転軸１３は、回転子１１のコア１１ａに圧入されている。
【００２６】
回転軸１３が有する一方の端部（遠心ファン２０側の端部）は、第１軸受け部１６に支持されている。一方、回転軸１３が有する他方の端部は、第２軸受け部１７に支持されている。一例として、第１軸受け部１６および第２軸受け部１７は、回転軸１３を支持するベアリングである。このように、回転軸１３は、第１軸受け部１６と第２軸受け部１７とによって、回転自在となるように両端部が保持されている。
【００２７】
また、回転軸１３の一方の端部は、第１軸受け部１６から突出している。回転軸１３の先端部には、遠心ファン２０が取り付けられている。
【００２８】
整流子１４は、回転軸１３に取り付けられている。本実施の形態において、整流子１４は、回転軸１３における回転子１１と第２軸受け部１７との間の部分に固定されている。整流子１４は、回転子１１が有するコイル１１ｂと電気的に接続されており、ブラシ１５と摺接する。整流子１４は、回転軸１３の回転方向に互いに絶縁分離された複数のセグメントによって構成されている。
【００２９】
ブラシ１５は、整流子１４に接触することで回転子１１に電力を供給するための給電ブラシである。ブラシ１５は、整流子１４に接触することで整流子１４に電機子電流を供給する。一例として、ブラシ１５は、カーボンブラシである。ブラシ１５は、長尺状の実質的な直方体である。
【００３０】
ブラシ１５は、整流子１４に摺接可能に配置されている。ブラシ１５は、一対設けられている。一対のブラシ１５は、整流子１４を挟持するように整流子１４を挟んで対向して配置されている。具体的には、一対のブラシ１５の内側の先端部は、整流子１４に当接している。本実施の形態において、ブラシ１５の長手方向の内側（回転軸１３側）の端面が整流子１４との接触面となっている。
【００３１】
遠心ファン２０は、ファンケース４０とブラケット５０とにより構成される外郭筐体（ハウジング）内に空気を吸引する。遠心ファン２０は、電動機１０が有する回転軸１３の所定の部位に取り付けられており、回転軸１３が回転することで回転する。遠心ファン２０が回転することにより風圧が発生し、ファンケース４０の吸気口４０ａから空気が吸い込まれる。
【００３２】
本実施の形態において、遠心ファン２０は、回転軸１３の先端部に取り付けられている。遠心ファン２０は、例えば、締結ナットとともに回転軸１３に挿入され、回転軸１３の端面に設けられたネジによって締結ナットを締め付けることで回転軸１３に加圧保持されている。なお、遠心ファン２０は、遠心ファン２０に形成された穴に回転軸１３を圧入することによって、遠心ファン２０を回転軸１３に固定してもよい。
【００３３】
遠心ファン２０は、中心に吸込口を有する第１側板２１と、所定の間隙を隔てて第１側板２１に対面する第２側板２２と、第１側板２１および第２側板２２に挟持された複数のファン翼２３とを有する。複数のファン翼２３は、等間隔で渦巻き状となるように配置されている。第１側板２１、第２側板２２およびファン翼２３は、例えばアルミニウム板によって構成されているが、これに限らない。本実施の形態において、ファン翼２３は、６枚設けられているが、ファン翼２３の枚数は、６枚に限るものではなく、１１枚等であってもよい。
【００３４】
エアガイド３０には、遠心ファン２０から排出された空気が流れ込む。エアガイド３０は、遠心ファン２０から排出された空気の流れを整流してブラケット５０へと滑らかに流し込む。エアガイド３０は、遠心ファン２０の外周に配置されたディフューザ翼３２を有する。エアガイド３０は、樹脂製および金属製のいずれであってもよいが、本実施の形態では、樹脂製である。なお、エアガイド３０の詳細な構成については、後述する。
【００３５】
ファンケース４０は、遠心ファン２０およびエアガイド３０を覆うカバーである。ファンケース４０は、遠心ファン２０およびエアガイド３０の上方部分を覆う蓋部４１（第１ファンケース部）と、遠心ファン２０およびエアガイド３０の側方部分を覆う側壁部４２（第２ファンケース部）とを有する。
【００３６】
ファンケース４０は、ブラケット５０に固定されている。具体的には、ファンケース４０の側壁部４２とブラケット５０の蓋部５２とが接続されることで、ファンケース４０の側壁部４２とブラケット５０の蓋部５２とが固定されている。
【００３７】
ファンケース４０は、外気を吸引するための吸気口４０ａを有している。遠心ファン２０が回転することで、ファンケース４０の吸気口４０ａからファンケース４０内に空気が流れ込む。
【００３８】
ブラケット５０は、電動機１０を収納する筐体である。具体的には、ブラケット５０は、回転子１１および固定子１２を収納する。本実施の形態において、ブラケット５０は、フレーム５１（第１ブラケット部）と、蓋部５２（第２ブラケット部）とを有する。
【００３９】
フレーム５１は、電動機１０を収納する筐体である。フレーム５１の底部の側壁には、遠心ファン２０の回転によって吸引した空気を排出する複数の排気口５１ａが設けられている。
【００４０】
蓋部５２は、フレーム５１の開口に蓋をするように配置された板部材である。蓋部５２には、複数（本実施の形態では２つ）の開口部５２ａが形成されている。つまり、蓋部５２は、フレーム５１の開口を部分的に覆っている。エアガイド３０で整流された空気は、蓋部５２の開口部５２ａを通過してブラケット５０（フレーム５１）内に流入する。
【００４１】
次に、本実施の形態に係る電動送風機１に用いられるエアガイド３０の詳細な構成について、図２〜図４を参照しながら、図５〜図９を用いて説明する。図５は、実施の形態１に係る電動送風機１に用いられるエアガイド３０を表側（ファンケース４０側）から見たときの斜視図である。図６は、同エアガイド３０を裏側（回転子１１側）から見たときの斜視図である。図７は、同エアガイド３０の上面図である。図８Ａは、実施の形態１に係る電動送風機１の水平断面図である。図８Ａでは、ファンケース４０の側壁部４２を通り且つ回転軸１３を法線とする水平面で切断したときの断面を示している。なお、図８Ａでは、遠心ファン２０を省略している。図８Ｂは、図８Ａの一点鎖線で囲まれる領域ＶＩＩＩＢの拡大上面図である。また、図９は、図７の破線で囲まれる領域ＩＸの拡大上面図である。
【００４２】
図５〜図７に示すように、エアガイド３０は、仕切り板３１と、複数のディフューザ翼３２と、複数の戻り翼３３と、複数のガイド翼３４とを有する。
【００４３】
図２に示すように、仕切り板３１は、遠心ファン２０とブラケット５０との間を仕切っている。また、図５〜図７に示すように、仕切り板３１は、複数のディフューザ翼３２と複数の戻り翼３３との間も仕切っている。つまり、複数のディフューザ翼３２と複数の戻り翼３３とは、仕切り板３１を介して設けられている。
【００４４】
図４に示すように、複数のディフューザ翼３２は、仕切り板３１の表側の面（遠心ファン２０側の面）に設けられている。また、複数のディフューザ翼３２は、遠心ファン２０の側方を囲むように設けられている。つまり、各ディフューザ翼３２は、遠心ファン２０の外周に位置している。
【００４５】
複数のディフューザ翼３２は、各々が湾曲する板形状であり、仕切り板３１に立設されている。本実施の形態において、ディフューザ翼３２は、１６枚設けられているが、ディフューザ翼３２の枚数は、１６枚に限られない。
【００４６】
図５〜図７に示すように、複数の戻り翼３３は、仕切り板３１の裏側の面（遠心ファン２０側の反対側の面、本実施の形態における回転子１１側の面）に設けられている。複数の戻り翼３３は、各々が湾曲する板形状であり、仕切り板３１に立設されている。戻り翼３３は、ディフューザ翼３２と同じ数だけ設けられている。具体的には、戻り翼３３は、１６枚設けられている。
【００４７】
各ディフューザ翼３２と各戻り翼３３とは、ガイド翼３４によって連結されている。つまり、エアガイド３０には複数のガイド翼３４が設けられており、１つのディフューザ翼３２と１つのガイド翼３４と１つの戻り翼３３とは、一続きに一体に形成されており、仕切り板３１の表裏にわたって連続して形成された一つの翼となっている。
【００４８】
複数のガイド翼３４の各々は、仕切り板３１から突出して設けられている。本実施の形態において、ディフューザ翼３２とガイド翼３４との境界点は、仕切り板３１の外周端上の点となっている。
【００４９】
本実施の形態において、複数のガイド翼３４は、当該ガイド翼３４に対応するディフューザ翼３２および戻り翼３３の各々に対して傾斜している。具体的には、ガイド翼３４は、エアガイド３０を側方から見たときに傾斜するようにして形成されている。
【００５０】
ディフューザ翼３２とガイド翼３４とは同じ厚みである。ディフューザ翼３２およびガイド翼３４の各々の両面は面一になっている。しかし、各ガイド翼３４は、当該ガイド翼３４に対応するディフューザ翼３２に対して緩やかにひねるように形成されている。したがって、複数のガイド翼３４の各々の側面は、当該ガイド翼３４と連続して設けられたディフューザ翼３２の側面に対して傾斜している。つまり、ディフューザ翼３２の側面の向きが変化し始める点が、ガイド翼３４の開始点となっている。本実施の形態では、この点がディフューザ翼３２とガイド翼３４との境界点になっている。
【００５１】
ガイド翼３４は、当該ガイド翼３４に連続する戻り翼３３に対しては、戻り翼３３の端部から立設するように形成されている。つまり、戻り翼３３とガイド翼３４との連結部分において、戻り翼３３からガイド翼３４にわたって屈曲するようにして連続して形成されている。
【００５２】
図５に示すように、エアガイド３０の表側から見たときに、複数のディフューザ翼３２は、右回りの渦巻き状に等間隔で設けられている。図６に示すように、エアガイド３０の裏側から見たときに、複数の戻り翼３３も、右回りの渦巻き状に等間隔で設けられている。したがって、図７に示すように、エアガイド３０の表側の一方向から見たときに、複数のディフューザ翼３２と複数の戻り翼３３とは、互いに反対回りとなる関係で設けられている。
【００５３】
図８Ａに示すように、仕切り板３１の遠心ファン２０側（表側）には、複数のディフューザ翼３２によって複数のディフューザ通風路３０ａが形成されている。図８Ａにおいて、ｎ番目の１つのディフューザ通風路３０ａを、右上がり線のハッチングで示している。
【００５４】
複数のディフューザ通風路３０ａの各々は、隣り合う２つのディフューザ翼３２と仕切り板３１とファンケース４０の蓋部４１とで囲まれる空気流路である。つまり、各ディフューザ通風路３０ａは、２つのディフューザ翼３２の内面を一対の側面とし、仕切り板３１の表面を底面とし、ファンケース４０の蓋部４１の内面を上面とする空間領域である。
【００５５】
ディフューザ翼３２で構成されるディフューザ通風路３０ａは、遠心ファン２０の回転により昇圧された空気の流れの速度を徐々に下げて圧力を回復させる機能を有する。このため、ディフューザ通風路３０ａは、エアガイド３０の内側から外側に向かって、ディフューザ通風路３０ａの断面積が徐々に拡大するように構成されている。具体的には、遠心ファン２０から排出された空気が入り込むディフューザ通風路３０ａの入り口側からエアガイド３０の外方であるディフューザ通風路３０ａの出口側に向かって、隣り合う２つのディフューザ翼３２の間隔が徐々に広くなっている。
【００５６】
一方、仕切り板３１の回転子１１側（裏側）には、複数の戻り翼３３によって複数の戻り通風路３０ｂが形成されている。図８Ａにおいて、ｎ番目（ｎは自然数）の１つの戻り通風路３０ｂを、右下がり線のハッチングで示している。
【００５７】
複数の戻り通風路３０ｂの各々は、隣り合う２つの戻り翼３３と仕切り板３１とで囲まれる空気流路である。つまり、戻り通風路３０ｂは、２つの戻り翼３３の内面を一対の側面とし、仕切り板３１の裏面を上面とする空間領域である。
【００５８】
戻り通風路３０ｂは、エアガイド３０の表側のディフューザ通風路３０ａからエアガイド３０の裏側に折り返して流れ込んだ空気をエアガイド３０の中央側に戻してエアガイド３０の裏側の全体からエアガイド３０の下方に空気を流す機能を有する。
【００５９】
したがって、エアガイド３０の側方には、複数のディフューザ通風路３０ａの各々から複数の戻り通風路３０ｂの各々に空気の流路を折り返すための通風路として折り返し通風路３０ｃが形成されている。図８Ａにおいて、ｎ番目（ｎは自然数）の１つの折り返し通風路３０ｃを、散点状のハッチングで示している。また、図８Ａにおいて、ｎ−１番目、ｎ番目およびｎ＋１番目の隣り合う３つの折り返し通風路３０ｃについては、ｎ−１、ｎ、ｎ＋１の記号に下線を引いて示している。
【００６０】
複数の折り返し通風路３０ｃの各々は、ディフューザ翼３２によって構成されるディフューザ通風路３０ａから戻り通風路３０ｂへと空気の流れの向きを変更する流れ変更部である。このため、複数のディフューザ通風路３０ａの各々と複数の戻り通風路３０ｂの各々とは、折り返し通風路３０ｃによって繋がっている。つまり、１つのディフューザ通風路３０ａと１つの戻り通風路３０ｂとは、１つの折り返し通風路３０ｃによって一本道で繋がっている。したがって、例えば、ｎ番目のディフューザ通風路３０ａに流れる空気は、ｎ番目の折り返し通風路３０ｃで折り返されて、ｎ番目の戻り通風路３０ｂを通過することになる。なお、戻り通風路３０ｂはディフューザ通風路３０ａと同じ数だけ形成されるので、折り返し通風路３０ｃもディフューザ通風路３０ａと同じ数だけ形成される。
【００６１】
本実施の形態において、複数の折り返し通風路３０ｃには、ガイド翼３４が設けられている。したがって、ディフューザ通風路３０ａを通過した空気は、ガイド翼３４で導かれて折り返し通風路３０ｃを通過して、戻り通風路３０ｂに流れ込む。つまり、ガイド翼３４は、複数のディフューザ通風路３０ａの各々を流れる空気を対応する折り返し通風路３０ｃに導く機能を有する。
【００６２】
複数の折り返し通風路３０ｃの各々は、隣り合う２つのガイド翼３４とファンケース４０の側壁部４２とで囲まれる空気流路である。つまり、ディフューザ通風路３０ａを通過した空気は、折り返し通風路３０ｃにおいて、ガイド翼３４でガイドされながらファンケース４０の側壁部４２に衝突して戻り通風路３０ｂに流れ込む。
【００６３】
図５〜図７に示すように、エアガイド３０の外周領域には、貫通孔３５が設けられている。本実施の形態において、貫通孔３５は、仕切り板３１の外周領域に設けられており、且つ、ディフューザ通風路３０ａと戻り通風路３０ｂとを連通させている。
【００６４】
具体的には、貫通孔３５は、ディフューザ通風路３０ａの終端領域に設けられている。つまり、貫通孔３５は、仕切り板３１におけるディフューザ翼３２が概ね終了する部分に設けられている。本実施の形態において、貫通孔３５は、ディフューザ通風路３０ａにおける折り返し通風路３０ｃとの境界領域周辺に設けられている。なお、貫通孔３５の開口形状は、例えば円形であるが、矩形状等の円形以外の形状であってもよい。
【００６５】
図９に示すように、エアガイド３０を上面視したときに、複数のディフューザ翼３２と対応する複数のガイド翼３４との境界点ＢＰを結んでできる円または多角形を境界線ＢＬとすると、貫通孔３５が設けられたエアガイド３０の外周領域は、境界線ＢＬよりも外側の領域である。したがって、貫通孔３５は、境界線ＢＬよりも外側に位置している。なお、図９では、境界線ＢＬは、隣り合う２つの境界点ＢＰ同士を直線で結んだ多角形として図示されている。
【００６６】
本実施の形態において、貫通孔３５は、複数のディフューザ通風路３０ａの各々に複数ずつ設けられている。具体的には、図８Ａおよび図９に示すように、各ディフューザ通風路３０ａには、複数の貫通孔３５として、第１貫通孔３５ａおよび第２貫通孔３５ｂの２つが設けられている。第１貫通孔３５ａおよび第２貫通孔３５ｂの各々の開口形状は、例えば円形であるが、円形以外の矩形状等の形状であってもよい。なお、第１貫通孔３５ａの開口形状と第２貫通孔３５ｂの開口形状は、同じであってもよいし、異なっていてもよい。
【００６７】
また、第１貫通孔３５ａと第２貫通孔３５ｂとは、開口面積が異なっている。本実施の形態では、ディフューザ通風路３０ａを流れる空気の内側（空気の流れのインコース側）に対応する部分の第１貫通孔３５ａの開口面積を、ディフューザ通風路３０ａを流れる空気の外側（空気の流れのアウトコース側）に対応する部分の第２貫通孔３５ｂの開口面積よりも大きくしている。一例として、第１貫通孔３５ａの開口径は、φ１．２ｍｍであり、第２貫通孔３５ｂの開口径は、φ１．０ｍｍである。
【００６８】
図８Ａに示すように、貫通孔３５（第１貫通孔３５ａ、第２貫通孔３５ｂ）は、複数のディフューザ通風路３０ａのうち、第１のディフューザ通風路３０ａｎと、複数の戻り通風路３０ｂのうち、第１のディフューザ通風路３０ａｎに繋がっている第１の戻り通風路３０ｂｎの隣りに位置する第２の戻り通風路３０ｂｎ＋１とを連通させている。
【００６９】
例えば、複数のディフューザ通風路３０ａのうちのｎ番目のディフューザ通風路３０ａに設けられた貫通孔３５は、複数の戻り通風路３０ｂのうちのｎ番目の戻り通風路３０ｂに連通しているのではなく、ｎ番目の戻り通風路３０ｂの隣りに位置するｎ＋１番目の戻り通風路３０ｂに連通している。
【００７０】
なお、ディフューザ通風路３０ａおよび戻り通風路３０ｂの渦巻きの巻き方向等によっては、ｎ番目のディフューザ通風路３０ａに設けられた貫通孔３５は、ｎ＋１番目の戻り通風路３０ｂではなく、ｎ−１番目の戻り通風路に連通していてもよい。
【００７１】
このように構成される電動送風機１では、電動機１０が有する回転子１１で発生する磁束と固定子１２で発生する磁束との相互作用によって生じた磁気力が回転子１１を回転させるトルクとなり、回転子１１が回転する。
【００７２】
電動機１０が有する回転子１１が回転すると、電動機１０が有する回転軸１３に固定された遠心ファン２０が回転し、図２の矢印で示すように、ファンケース４０の吸気口４０ａからファンケース４０の内部に空気が吸引される。これにより、遠心ファン２０に空気が流れ込み、遠心ファン２０の中央の吸気口から外周側に向かって流れる気流が生じて、遠心ファン２０の側部から排出される。このとき、遠心ファン２０に流れ込んだ空気は、遠心ファン２０が有するファン翼２３によって、高圧に圧縮される。
【００７３】
遠心ファン２０から排出された空気は、遠心ファン２０の外周に配置されたエアガイド３０が有する複数のディフューザ通風路３０ａに流れ込む。遠心ファン２０から排出されてエアガイド３０に流入した空気は、図８Ａの太線矢印に示すように、各ディフューザ通風路３０ａを通って外方（ファンケース４０の側壁部４２側）に向かって流れて、折り返し通風路３０ｃで折り返された後、エアガイド３０の裏面の戻り通風路３０ｂに流入する。このとき、ディフューザ通風路３０ａから折り返し通風路３０ｃに向かう空気は、ファンケース４０の側壁部４２の内面に当たり、折り返し通風路３０ｃにおいて、気流の向きが外方から内方に変化するように旋回した旋回流となって、戻り通風路３０ｂに流入する。
【００７４】
エアガイド３０が有する戻り通風路３０ｂを通過した空気は、ブラケット５０が有する蓋部５２に形成された開口部５２ａを介して、ブラケット５０（フレーム５１）内に流入する。ブラケット５０内に流入した空気は、電動機１０が有する回転子１１および固定子１２等の電動機１０の部品を冷却しながら、ブラケット５０に設けられた排気口５１ａから電動送風機１の外に吐き出される。
【００７５】
本実施の形態における電動送風機１では、エアガイド３０の外周領域に貫通孔３５が設けられている。具体的には、仕切り板３１の外周領域に、ディフューザ通風路３０ａと戻り通風路３０ｂとを連通させる貫通孔３５が設けられている。この構成により、電動送風機１の性能を低下させることなく、電動送風機１の騒音を抑制することができる。以下、この点について詳述する。
【００７６】
エアガイド３０が有するディフューザ通風路３０ａでは、ディフューザ通風路３０ａに流れる空気の速度を減速させることで、遠心ファン２０で昇圧された空気の圧力を回復させている。つまり、ディフューザ通風路３０ａでは、遠心ファン２０で発生した運動エネルギーを圧力エネルギーに変換している。これにより、電動送風機１の効率を向上させることができる。
【００７７】
この場合、仮に、ディフューザ通風路３０ａの中間部分において、仕切り板３１又はディフューザ翼３２に、ディフューザ通風路３０ａと戻り通風路３０ｂとを連通させる貫通孔を設けると、ディフューザ通風路３０ａに流れる空気の速度が充分に減速していない箇所において、空気の流れに乱れを生じさせてしまう。このため、ディフューザ通風路３０ａにおける圧力回復に損失を生じさせる結果となり、電動送風機の効率が低下してしまう。
【００７８】
これに対して、本実施の形態における電動送風機１では、エアガイド３０の外周領域に貫通孔３５が設けられている。具体的には、貫通孔３５は、仕切り板３１の外周領域に設けられている。より具体的には、貫通孔３５は、ディフューザ通風路３０ａの終端領域に設けられている。つまり、仕切り板３１におけるディフューザ翼３２が概ね終了する部分に貫通孔３５が設けられている。このため、ディフューザ通風路３０ａを流れる空気の速度を所望に減速させることができ、ディフューザ通風路３０ａに流れる空気の流れが乱れることがほぼない。したがって、貫通孔３５を設けたとしても、電動送風機１の効率が低下しない。
【００７９】
また、本実施の形態における電動送風機１では、貫通孔３５は、ディフューザ通風路３０ａと戻り通風路３０ｂとを連通させている。この構成により、ディフューザ通風路３０ａから戻り通風路３０ｂに流れる空気の経路としては、貫通孔３５を経由せずに折り返し通風路３０ｃを経由して戻り通風路３０ｂに流入する第１経路と、折り返し通風路３０ｃを経由せずに貫通孔３５を経由して戻り通風路３０ｂに流入する第２経路とが存在することになる。
【００８０】
この結果、第１経路を通った第１の空気と第２経路を通った第２の空気とではトータルの通風路の長さが異なることから、戻り通風路３０ｂの合流位置において第１の空気の音波の位相と第２の空気の音波の位相とがずれることになる。つまり、第１の空気の音波と第２の空気の音波とで位相差が生じることになる。これにより、第１の空気の音波と第２の空気の音波とが打ち消し合うこととなり、エアガイド３０を流れる空気の音圧が抑制される。
【００８１】
なお、本実施の形態では、図８Ｂに示すように、第１のディフューザ通風路３０ａｎ（例えばｎ番目のディフューザ通風路３０ａ）を流れる空気は、第１のディフューザ通風路３０ａｎに繋がる折り返し通風路３０ｃｎ（ｎ番目の折り返し通風路３０ｃ）を経由して第１のディフューザ通風路３０ａｎに繋がる第１の戻り通風路３０ｂｎ（ｎ番目の戻り通風路３０ｂ）に流れる第１の空気と、第１のディフューザ通風路３０ａｎの隣りの第２のディフューザ通風路３０ａｎ＋１（ｎ＋１番目のディフューザ通風路３０ａ）を流れる空気のうち貫通孔３５を経由して第２のディフューザ通風路３０ａｎ＋１に繋がる第２の戻り通風路３０ｂｎ＋１（ｎ＋１番目の戻り通風路３０ｂ）に流れる第２の空気とが、第２のディフューザ通風路３０ａｎ＋１に繋がる第２の戻り通風路３０ｂｎ＋１（ｎ＋１番目の戻り通風路３０ｂ）で合流することになる。
【００８２】
このように、本実施の形態における電動送風機１では、遠心ファン２０から排出された空気は、エアガイド３０のディフューザ通風路３０ａを通過することで流れの速度が徐々に下がって圧力が回復された後、折り返し通風路３０ｃを通る経路である第１経路を通って戻り通風路３０ｂへと流れる第１の空気（第１の流れ）と、貫通孔３５を通る経路である第２経路を通って戻り通風路３０ｂへと流れる第２の空気（第２の流れ）とに分かれることになる。
【００８３】
そして、折り返し通風路３０ｃを通る第１の空気と貫通孔３５を通る第２の空気とはトータルの通風路の長さが異なるため、第１の空気と第２の空気とが戻り通風路３０ｂで合流した時に第１の空気の音波と第２の空気の音波とに位相差が生じて互いに打ち消すことになり、音圧が抑制される。
【００８４】
また、貫通孔３５を通る第２の空気は、貫通孔３５をバイパスとして折り返し通風路３０ｃをショートカットして戻り通風路３０ｂに流れていくため、折り返し通風路３０ｃを通る第１の空気と比べてトータルの通風路の長さが短くなる。しかし、貫通孔３５は、仕切り板３１の外周領域（具体的にはディフューザ通風路３０ａの終端領域）に設けられているので、ディフューザ通風路３０ａにおける圧力回復の損失が生じない。
【００８５】
以上説明したように、本実施の形態における電動送風機１によれば、性能を低下させることなく騒音を抑制することができる。
【００８６】
また、本実施の形態における電動送風機１では、貫通孔３５は、複数のディフューザ通風路３０ａのうち、第１のディフューザ通風路３０ａｎと、複数の戻り通風路３０ｂのうち、当該第１のディフューザ通風路３０ａｎに繋がっている第１の戻り通風路３０ｂｎの隣りに位置する第２の戻り通風路３０ｂｎ＋１とを連通させている。
【００８７】
この構成により、折り返し通風路３０ｃｎ＋１を通る第１の空気の音波と、貫通孔３５を通る第２の空気の音波とで、位相差が生じやすくなる。このため、電動送風機１の騒音を一層効果的に抑制することができる。
【００８８】
また、本実施の形態における電動送風機１では、貫通孔３５は、複数のディフューザ通風路３０ａの各々に複数ずつ設けられている。
【００８９】
このように、１箇所のディフューザ通風路３０ａに複数の貫通孔３５を設けることで、貫通孔３５を通る第２の空気の中だけでも通風路の長さが異なる複数の空気を生成することができる。つまり、折り返し通風路３０ｃを通る第１の空気を合わせて、少なくとも３つ以上の通風路の長さが異なる空気が存在することになる。これにより、騒音を抑制する効果のある周波数の範囲を広げることができるので、電動送風機１の騒音を一層抑制することができる。
【００９０】
さらに、本実施の形態における電動送風機１では、複数のディフューザ通風路３０ａの各々に設けられた複数の貫通孔３５には、開口面積が異なる第１貫通孔３５ａと第２貫通孔３５ｂとが含まれている。
【００９１】
このように、１箇所のディフューザ通風路３０ａに設けられた複数の貫通孔３５の開口面積を異ならせることによっても、騒音を抑制する効果のある周波数の範囲を広げることができる。これにより、電動送風機１の騒音を一層抑制することができる。
【００９２】
ここで、本実施の形態における電動送風機１の効果を検証するための実験を行ったので、その実験結果について説明する。本実験では、実施例の電動送風機１として、図１〜図９に示される上記電動送風機１を用いた。また、実施例の電動送風機１の比較対象として、図１０に示される比較例の電動送風機１Ｘを用いた。図１０に示される比較例の電動送風機１Ｘは、貫通孔３５が設けられていない点以外は、実施例の電動送風機１と同じ構成である。
【００９３】
そして、実施例の電動送風機１と比較例の電動送風機１Ｘとについて、電動送風機の風量−静圧特性（ＰＱ特性）と音圧レベルを評価した。その結果を図１１および図１２に示す。図１１は、実施例の電動送風機１のＰＱ特性と比較例の電動送風機１ＸのＰＱ特性とを示す図である。図１２は、実施例の電動送風機１と比較例の電動送風機１Ｘとにおける周波数に対する音圧レベルを示す図である。図１２は、図１１において、風量が２０ｌ／ｓｅｃのときの測定結果を示している。なお、図１１および図１２において、実施例の電動送風機１を「実施例」と表記し、比較例の電動送風機１Ｘを「比較例」と表記している。
【００９４】
実施例の電動送風機１には貫通孔３５が設けられている。実施例の電動送風機１は、貫通孔３５が設けられていない比較例の電動送風機１Ｘとほぼ同等の性能を有することが分かる。つまり、エアガイド３０の外周領域に貫通孔３５を設けても電動送風機としての性能が低下しないことが確認できた。
【００９５】
また、図１２に示すように、実施例の電動送風機１は、比較例の電動送風機１Ｘに対して、音圧が低下しており、騒音が抑制されることが分かった。具体的には、周波数が１０００Ｈｚ〜８０００Ｈｚの範囲では、音圧が２ｄＢ〜７ｄＢ程度低下することが分かった。特に、３１５０Ｈｚ〜４０００Ｈｚの周波数では、音圧が５ｄＢ以上低下することが分かった。
【００９６】
なお、本実験では、遠心ファン２０の回転数（Ｎ）と遠心ファン２０の翼数（Ｚ）との積が４０００に設定されている。したがって、図１２に示すように、ＮＺ音に対応する周波数（４０００Ｈｚ）では効果があるが、ＮＺ音の２倍（２ＮＺ）に対応する周波数（８０００Ｈｚ）では、あまり効果がないことも分かる。
【００９７】
以上、実験結果からも分かるように、実施例の電動送風機１によれば、エアガイド３０の外周領域に貫通孔３５を設けることで、電動送風機本来の性能を低下させることなく、騒音を効果的に抑制することができる。
【００９８】
なお、本実施の形態において、貫通孔３５の開口形状は、円形としたが、これに限られない。例えば、図１３に示されるエアガイド３０Ａのように、仕切り板３１の外周領域に、スリット状の貫通孔３５Ａを設けてもよい。図１３は、変形例１に係るエアガイドの拡大上面図である。この場合、貫通孔３５Ａの長手方向は、ディフューザ通風路３０ａの流れ方向に沿った方向となっていてもよい。しかし、貫通孔３５Ａが長くなりすぎると、ディフューザ通風路３０ａにおける圧力回復に損失を生じさせるおそれがある。このため、貫通孔３５Ａの長手方向は、図１３に示すように、エアガイド３０Ａの周方向に沿った方向にするとよい。
【００９９】
また、本実施の形態において、ディフューザ通風路３０ａの終端領域に貫通孔３５を設けて、ディフューザ通風路３０ａと戻り通風路３０ｂとを連通させていたが、これに限らない。例えば、図１４に示されるエアガイド３０Ｂのように、折り返し通風路３０ｃにおける戻り翼３３の部分に貫通孔３５を設けてもよい。この場合、貫通孔３５は、エアガイド３０Ｂの外周領域に設けられている。ディフューザ通風路３０ａと戻り通風路３０ｂとを連通させているのではなく、折り返し通風路３０ｃと戻り通風路３０ｂとを連通させている。具体的には、図１４に示される貫通孔３５は、複数の折り返し通風路３０ｃのうちの第１の折り返し通風路３０ｃｎと、複数の戻り通風路３０ｂのうちの当該第１の折り返し通風路３０ｃｎに繋がっている第１の戻り通風路３０ｂｎの隣りに位置する第２の戻り通風路３０ｂｎ＋１とを連通させている。
【０１００】
以上の説明から明らかなように、本実施の形態における電動送風機１は、電動機１０と、遠心ファン２０と、エアガイド３０と、を備える。
【０１０１】
電動機１０は、回転子１１および回転子１１に取り付けられた回転軸１３を有する。遠心ファン２０は、回転軸１３に取り付けられている。
【０１０２】
エアガイド３０には、遠心ファン２０から排出された空気が流れ込む。エアガイド３０は、仕切り板３１と、遠心ファン２０側の面に複数のディフューザ翼３２とディフューザ通風路３０ａと、遠心ファン２０の反対側の面に複数の戻り翼３３と戻り通風路３０ｂと、折り返し通風路３０ｃと、を有する。
【０１０３】
複数のディフューザ翼３２は、遠心ファン２０の側方を囲むように設けられる。各ディフューザ通風路３０ａは、複数のディフューザ翼３２のうち隣り合う一組のディフューザ翼３２によって形成される。ディフューザ通風路３０ａは、第１のディフューザ通風路３０ａｎと、第１のディフューザ通風路３０ａｎと隣り合う第２のディフューザ通風路３０ａｎ＋１と、を含む。
【０１０４】
各戻り通風路３０ｂは、複数の戻り翼３３のうち隣り合う一組の戻り翼３３によって形成される。戻り通風路３０ｂは、第１のディフューザ通風路３０ａｎと連絡する第１の戻り通風路３０ｂｎと、第１の戻り通風路３０ｂｎと隣り合う第２の戻り通風路３０ｂｎ＋１と、を含む。
【０１０５】
各折り返し通風路３０ｃは、ひとつのディフューザ通風路３０ａとひとつの戻り通風路３０ｂのそれぞれを連絡する。
【０１０６】
電動送風機１において、エアガイド３０の外周領域には、ディフューザ通風路３０ａまたは折り返し通風路３０ｃと戻り通風路３０ｂとを連通させる貫通孔３５を有する。
【０１０７】
特に、顕著な作用効果を奏する構成は、以下のとおりである。
【０１０８】
すなわち、貫通孔３５は、仕切り板３１の外周領域に設けられている。且つ、貫通孔３５は、ディフューザ通風路３０ａと戻り通風路３０ｂとを連通させている。
【０１０９】
貫通孔３５は、ディフューザ通風路３０ａの終端領域に位置する。
【０１１０】
貫通孔３５は、第１のディフューザ通風路３０ａｎと、第２の戻り通風路３０ｂｎ＋１とを連通させている。
【０１１１】
エアガイド３０は、第１のディフューザ通風路３０ａｎと第１の戻り通風路３０ｂｎとを連絡する第１の折り返し通風路３０ｃｎをさらに有する。貫通孔３５は、第１の折り返し通風路３０ｃｎと、第２の戻り通風路３０ｂｎ＋１とを連通させている。
【０１１２】
エアガイド３０は、複数のディフューザ通風路３０ａのそれぞれを流れる空気を複数の折り返し通風路３０ｃのそれぞれに導く複数のガイド翼３４を有する。複数のガイド翼３４は、複数のディフューザ翼３２のそれぞれと連続して設けられる。エアガイド３０を上面視したときに、複数のディフューザ翼３２のそれぞれと複数のガイド翼３４のそれぞれとの境界点ＢＰを結んでできる円または多角形を境界線ＢＬとする。このとき、貫通孔３５が設けられたエアガイド３０の外周領域は、境界線ＢＬよりも外側の領域である。
【０１１３】
ガイド翼３４は、仕切り板３１から突出して設けられている。
【０１１４】
ガイド翼３４が有する側面は、ガイド翼３４と連続して設けられたディフューザ翼３２が有する側面に対して傾斜している。
【０１１５】
貫通孔３５は、複数のディフューザ通風路３０ａの各々に複数ずつ設けられている。
【０１１６】
ディフューザ通風路３０ａに設けられた複数の貫通孔３５には、開口面積が異なる第１貫通孔３５ａと第２貫通孔３５ｂとが含まれる。
【０１１７】
以上のように、本実施の形態の電動送風機１は、回転子１１および回転子１１に取り付けられた回転軸１３を有する電動機１０と、回転軸１３に取り付けられた遠心ファン２０と、遠心ファン２０から排出された空気が流れ込み、遠心ファン２０が位置する側を遠心ファン２０側の面とし、遠心ファン２０側の面の反対側を遠心ファン２０の反対側の面とする、仕切り板３１と、遠心ファン２０側の面に、遠心ファン２０の側方を囲むように設けられた複数のディフューザ翼３２と、複数のディフューザ翼３２のうち隣り合う一組のディフューザ翼３２によってそれぞれ形成される、第１のディフューザ通風路３０ａｎと、第１のディフューザ通風路３０ａｎと隣り合う第２のディフューザ通風路３０ａｎ＋１と、を含む、ディフューザ通風路３０ａと、遠心ファン２０の反対側の面に、複数の戻り翼３３と、複数の戻り翼３３のうち隣り合う一組の戻り翼３３によってそれぞれ形成され、第１のディフューザ通風路３０ａｎと連絡する第１の戻り通風路３０ｂｎと、第１の戻り通風路３０ｂｎと隣り合う第２の戻り通風路３０ｂｎ＋１と、を含む、戻り通風路３０ｂと、ディフューザ通風路３０ａと戻り通風路３０ｂのそれぞれを連絡する折り返し通風路３０ｃと、を有するエアガイド３０と、を備え、エアガイド３０の外周領域には、ディフューザ通風路３０ａまたは折り返し通風路３０ｃと戻り通風路３０ｂとを連通させる貫通孔３５を有する。
【０１１８】
これにより、電動送風機の性能を低下させることなく、騒音を抑制することができる電動送風機等を実現することができる。
【０１１９】
（実施の形態２）
実施の形態２として、実施の形態１に係る電動送風機１を用いた電気機器について説明する。
【０１２０】
電動送風機１を用いた電気掃除機２について、図１５を用いて説明する。図１５は、実施の形態２に係る電気掃除機２の一例を示す模式図である。
【０１２１】
図１５に示すように、電気掃除機２は、電動送風機１と、電動送風機１（電動機１０）を制御する制御部２ａとを備えている。電気掃除機２は、電動送風機１によって空気を吸引することで清掃する。制御部２ａは、電動送風機１（電動機１０）を制御する。例えば、制御部２ａは、電動送風機１による吸引を開始したり、吸引を停止したり、吸引量を調整したりする。
【０１２２】
このように、本実施の形態における電気掃除機２は、実施の形態１における電動送風機１を用いているので、低騒音の電気掃除機を実現することができる。
【０１２３】
また、図１６に示すように、電動送風機１は、手を風で乾かすエアタオル３に用いてもよい。図１６は、実施の形態２に係るエアタオル３の一例を示す模式図である。
【０１２４】
図１６に示すように、エアタオル３は、電動送風機１と、電動送風機１（電動機１０）を制御する制御部３ａとを備えている。エアタオル３は、電動送風機１によって温風または冷風を送風する。制御部３ａは、電動送風機１（電動機１０）を制御する。例えば、制御部３ａは、電動送風機１による送風を開始したり、送風を停止したり、送風量を調整したりする。
【０１２５】
このように、本実施の形態におけるエアタオル３は、実施の形態１における電動送風機１を用いているので、低騒音のエアタオルを実現することができる。
【０１２６】
（変形例）
以上、本開示に係る電動送風機、電気掃除機およびエアタオル等について、実施の形態に基づいて説明した。しかし、本開示は、上記実施の形態に限定されるものではない。
【０１２７】
例えば、実施の形態１では、電動送風機１に用いられる電動機１０として、ブラシ付き整流子電動機を用いたが、これに限られるものではない。電動機１０は、ブラシレス電動機等であってもよい。
【０１２８】
実施の形態１における電動送風機１は、電気掃除機またはエアタオルに適用する場合について説明した。しかし、これに限らず、自動車用機器に適用してもよいし、その他の家庭用機器または産業用機器に適用してもよい。
【０１２９】
例えば、実施の形態１、２に対して当業者が思い付く各種変形を施して得られる形態、または、本開示の趣旨を逸脱しない範囲で各実施の形態における構成要素および機能を任意に組み合わせることで実現される形態も、本開示に含まれる。
【産業上の利用可能性】
【０１３０】
本開示の技術は、電動送風機および電気掃除機等の種々の電気機器に利用することができる。特に、遠心ファンを高速で回転する電気掃除機およびエアタオル等に搭載される電動送風機として有用である。
【符号の説明】
【０１３１】
１、１Ｘ  電動送風機
２  電気掃除機
２ａ、３ａ  制御部
３  エアタオル
１０  電動機
１１  回転子
１１ａ  コア
１１ｂ  コイル
１２  固定子
１３  回転軸
１４  整流子
１５  ブラシ
１６  第１軸受け部
１７  第２軸受け部
２０  遠心ファン
２１  第１側板
２２  第２側板
２３  ファン翼
３０、３０Ａ、３０Ｂ  エアガイド
３０ａ  ディフューザ通風路
３０ａｎ  第１のディフューザ通風路
３０ａｎ＋１  第２のディフューザ通風路
３０ｂ  戻り通風路
３０ｂｎ  第１の戻り通風路
３０ｂｎ＋１  第２の戻り通風路
３０ｃ  折り返し通風路
３０ｃｎ  第１の折り返し通風路
３１  仕切り板
３２  ディフューザ翼
３３  戻り翼
３４  ガイド翼
３５、３５Ａ  貫通孔
３５ａ  第１貫通孔
３５ｂ  第２貫通孔
４０  ファンケース
４０ａ  吸気口
４１  蓋部
４２  側壁部
５０  ブラケット
５１  フレーム
５１ａ  排気口
５２  蓋部
５２ａ  開口部
【図１】
2019176625.tif 000003
【図２】
2019176625.tif 000004
【図３】
2019176625.tif 000005
【図４】
2019176625.tif 000006
【図５】
2019176625.tif 000007
【図６】
2019176625.tif 000008
【図７】
2019176625.tif 000009
【図８Ａ】
2019176625.tif 000010
【図８Ｂ】
2019176625.tif 000011
【図９】
2019176625.tif 000012
【図１０】
2019176625.tif 000013
【図１１】
2019176625.tif 000014
【図１２】
2019176625.tif 000015
【図１３】
2019176625.tif 000016
【図１４】
2019176625.tif 000017
【図１５】
2019176625.tif 000018
【図１６】
2019176625.tif 000019
【手続補正書】
【提出日】令和2年5月25日(2020.5.25)
【手続補正１】
【補正対象書類名】明細書
【補正対象項目名】全文
【補正方法】変更
【補正の内容】
【発明の詳細な説明】
【技術分野】
【０００１】
本開示は、電動送風機、電気掃除機およびエアタオルに関する。本開示は、特に、家庭用電気機器等に使用される電動送風機および電動送風機を用いた電気掃除機、エアタオル等の電気機器に関する。
【背景技術】
【０００２】
電気掃除機等に搭載される電動送風機は、高出力化に伴って騒音が増大している。一方、電気掃除機の本体は小型化が進んでいるため、電気掃除機の本体側で防音対策を行う空間が少なくなってきている。このため、近年では、電動送風機自身によって電動送風機の騒音を抑制することが要望されている。
【０００３】
電気掃除機に搭載される電動送風機では、回転ファンとして、高い吸引圧力が得られる遠心ファンが採用されている。この遠心ファンは、電動機が有する回転軸に取り付けられている。遠心ファンが、高速で回転することにより、所望の風量と圧力とを発生させている。
【０００４】
遠心ファンを用いた電動送風機としては、例えば、電動機と、電動機が有する回転軸に取り付けられた遠心ファンと、遠心ファンの外周側に配置されたディフューザ翼を有するエアガイドと、遠心ファンおよびエアガイドを覆うファンケースとを有するものが知られている。
【０００５】
このように構成された電動送風機では、エアガイドが有するディフューザ翼とファンケースとによって、遠心ファンから排出された空気が流れ込む通風路が形成されている。遠心ファンからエアガイドに流入した空気は、エアガイドに形成された通風路を通過した後、電動機を収納するブラケットの内部空間を通って、ブラケットが有する開口部から外部に排出される。
【０００６】
遠心ファンからエアガイドに流れる空気については、遠心ファンの回転数（Ｎ）と遠心ファンの翼数（Ｚ）との積に対応する周波数の音、いわゆるＮＺ音が発生する。電動送風機の騒音の中では、このＮＺ音が最も音圧が大きい要素となっている。このＮＺ音は、エアガイドに形成された通風路の形状を工夫することによって、抑制することができる。
【０００７】
従来、エアガイドに形成された通風路を構成するディフューザ翼（静翼）の板面の一部に貫通孔を設けることで、電動送風機自身から発生する騒音を抑制する技術が提案されている（特許文献１を参照）。
【０００８】
特許文献１に開示された技術は、通風路の中間部分におけるディフューザ翼の板面に貫通孔を設けることで、音波の圧力変動を抑制して、電動送風機の騒音を小さくしようとするものである。
【０００９】
しかしながら、遠心ファンから排出される空気は、遠心ファンが回転することにより昇圧される。エアガイドが有するディフューザ翼は、昇圧されて遠心ファンから排出された空気の流れの速度を徐々に下げて、圧力を回復させる役目を担っている。よって、通風路の中間部分におけるディフューザ翼に貫通孔を設けると、通風路を流れる空気の速度が充分に減速していない箇所で空気の流れに乱れが生じることになる。このため、ディフューザ翼における通風路での圧力回復に損失を生じさせる結果となり、電動送風機としての性能が低下する。
【００１０】
このように、特許文献１に開示された電動送風機は、騒音を抑制することができるものの、電動送風機本来の性能を低下させてしまうという問題がある。
【先行技術文献】
【特許文献】
【００１１】
【特許文献１】特開平１１−３５１１９６号公報
【発明の概要】
【００１２】
本開示は、このような問題を解決するためになされたものである。本開示は、性能を低下させることなく騒音を抑制することができる電動送風機とこの電動送風機を用いる電気掃除機、エアタオル等を提供することを目的とする。
【００１３】
上記目的を達成するために、本開示に係る電動送風機の一態様は、回転子および回転子に取り付けられた回転軸を有する電動機と、回転軸に取り付けられた遠心ファンと、遠心ファンから排出された空気が流れ込み、遠心ファンが位置する側を遠心ファン側の面とし、遠心ファン側の面の反対側を遠心ファンの反対側の面とする、仕切り板と、遠心ファン側の面に、遠心ファンの側方を囲むように設けられた複数のディフューザ翼と、複数のディフューザ翼のうち隣り合う一組のディフューザ翼によってそれぞれ形成される、第１のディフューザ通風路と、第１のディフューザ通風路と隣り合う第２のディフューザ通風路と、を含む、ディフューザ通風路と、遠心ファンの反対側の面に、複数の戻り翼と、複数の戻り翼のうち隣り合う一組の戻り翼によってそれぞれ形成され、第１のディフューザ通風路と連絡する第１の戻り通風路と、第１の戻り通風路と隣り合う第２の戻り通風路と、を含む、戻り通風路と、ディフューザ通風路と戻り通風路のそれぞれを連絡する折り返し通風路と、を有するエアガイドと、を備え、エアガイドの外周領域には、ディフューザ通風路または折り返し通風路と戻り通風路とを連通させる貫通孔を有する。
【００１４】
また、本開示に係る電気掃除機の一態様は、上記の電動送風機と、電動送風機を制御する制御部と、を備える。
【００１５】
また、本開示に係るエアタオルの一態様は、上記の電動送風機と、電動送風機を制御する制御部と、を備える。
【００１６】
本開示により、電動送風機の性能を低下させることなく、騒音を抑制することができる電動送風機とそれを用いる電気掃除機、エアタオル等を実現することができる。
【図面の簡単な説明】
【００１７】
【図１】図１は、実施の形態１に係る電動送風機の外観斜視図である。
【図２】図２は、実施の形態１に係る電動送風機の半断面図である。
【図３】図３は、実施の形態１に係る電動送風機の分解斜視図である。
【図４】図４は、実施の形態１に係る電動送風機の、ファンケースを外した状態の上面図である。
【図５】図５は、実施の形態１に係る電動送風機に用いられるエアガイドを表側（ファンケース側）から見たときの斜視図である。
【図６】図６は、実施の形態１に係る電動送風機に用いられるエアガイドを裏側（回転子側）から見たときの斜視図である。
【図７】図７は、実施の形態１に係る電動送風機に用いられるエアガイドの上面図である。
【図８Ａ】図８Ａは、実施の形態１に係る電動送風機の水平断面図である。
【図８Ｂ】図８Ｂは、図８Ａの一点鎖線で囲まれる領域ＶＩＩＩＢの拡大上面図である。
【図９】図９は、図７の破線で囲まれる領域ＩＸの拡大上面図である。
【図１０】図１０は、比較例の電動送風機の構成を示す図である。
【図１１】図１１は、実施例の電動送風機のＰＱ特性と比較例の電動送風機のＰＱ特性とを示す図である。
【図１２】図１２は、実施例の電動送風機と比較例の電動送風機とにおける周波数に対する音圧レベルを示す図である。
【図１３】図１３は、変形例１に係るエアガイドの拡大上面図である。
【図１４】図１４は、変形例２に係るエアガイドの斜視図である。
【図１５】図１５は、実施の形態２に係る電気掃除機の一例を示す模式図である。
【図１６】図１６は、実施の形態２に係るエアタオルの一例を示す模式図である。
【発明を実施するための形態】
【００１８】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、構成要素の配置位置および接続形態等は、一例であって、本開示を限定する主旨ではない。よって、以下の実施の形態における構成要素のうち、本開示の最上位概念を示す独立請求項に記載されていない構成要素については、任意の構成要素として説明される。
【００１９】
なお、各図は、模式図であり、必ずしも厳密に図示されたものではない。また、各図において、実質的に同一の構成に対しては同一の符号を付しており、重複する説明は省略または簡略化する。
【００２０】
（実施の形態１）
図１〜図４を用いて、実施の形態１に係る電動送風機１について説明する。図１は、実施の形態１に係る電動送風機１の外観斜視図である。図２は、同電動送風機１の半断面図である。図３は、同電動送風機１の分解斜視図である。図４は、同電動送風機１の、ファンケース４０を外した状態の上面図である。なお、図２に示される太線矢印は、電動送風機１内に吸引した空気の流れを示している。
【００２１】
図１〜図４に示すように、本実施の形態における電動送風機１は、回転子１１および固定子１２を有する電動機１０と、電動機１０が有する回転軸１３に取り付けられた遠心ファン２０と、遠心ファン２０から排出された空気が流れ込むエアガイド３０と、遠心ファン２０およびエアガイド３０を覆うファンケース４０と、回転子１１および固定子１２を収納するブラケット５０とを備える。
【００２２】
電動機１０は、遠心ファン２０を回転させるモータである。本実施の形態における電動機１０は、ブラシ付き整流子電動機である。電動機１０は、回転子（ロータ）１１と、固定子（ステータ）１２と、回転軸１３と、整流子１４と、ブラシ１５と、第１軸受け部１６と、第２軸受け部１７とを備える。
【００２３】
回転子１１は、固定子１２による磁力によって回転軸１３を回転中心として回転する。本実施の形態において、回転子１１は、インナーロータであり、図２に示すように、固定子１２の内側に配置されている。具体的には、回転子１１は、固定子１２との間に微小なエアギャップを介して固定子１２に囲まれている。回転子１１は、コア１１ａと、コイル１１ｂとを有する。回転子１１は、例えば、４０，０００ｒｐｍ（ｒｅｖｏｌｕｔｉｏｎｓ  ｐｅｒ  ｍｉｎｕｔｅ）で高速回転する。
【００２４】
固定子１２は、回転子１１に作用する磁力を発生させる。本実施の形態において、固定子１２は、回転子１１を囲むように配置されている。固定子１２は、Ｓ極およびＮ極を有する永久磁石によって構成されていてもよいし、コア（ステータコア）と巻線コイル（ステータコイル）とによって構成されていてもよい。固定子１２は、例えば、ブラケット５０に固定されている。
【００２５】
回転軸１３は、回転子１１が回転する際の中心となるシャフトである。回転軸１３は、軸心Ｃ方向である長手方向に延伸している。回転軸１３は、例えば金属棒である。回転軸１３は、回転子１１に固定されている。具体的には、回転軸１３は、例えば、回転子１１の両側に延在するように回転子１１のコア１１ａの中心を貫いた状態でコア１１ａに固定されている。一例として、回転軸１３は、回転子１１のコア１１ａに圧入されている。
【００２６】
回転軸１３が有する一方の端部（遠心ファン２０側の端部）は、第１軸受け部１６に支持されている。一方、回転軸１３が有する他方の端部は、第２軸受け部１７に支持されている。一例として、第１軸受け部１６および第２軸受け部１７は、回転軸１３を支持するベアリングである。このように、回転軸１３は、第１軸受け部１６と第２軸受け部１７とによって、回転自在となるように両端部が保持されている。
【００２７】
また、回転軸１３の一方の端部は、第１軸受け部１６から突出している。回転軸１３の先端部には、遠心ファン２０が取り付けられている。
【００２８】
整流子１４は、回転軸１３に取り付けられている。本実施の形態において、整流子１４は、回転軸１３における回転子１１と第２軸受け部１７との間の部分に固定されている。整流子１４は、回転子１１が有するコイル１１ｂと電気的に接続されており、ブラシ１５と摺接する。整流子１４は、回転軸１３の回転方向に互いに絶縁分離された複数のセグメントによって構成されている。
【００２９】
ブラシ１５は、整流子１４に接触することで回転子１１に電力を供給するための給電ブラシである。ブラシ１５は、整流子１４に接触することで整流子１４に電機子電流を供給する。一例として、ブラシ１５は、カーボンブラシである。ブラシ１５は、長尺状の実質的な直方体である。
【００３０】
ブラシ１５は、整流子１４に摺接可能に配置されている。ブラシ１５は、一対設けられている。一対のブラシ１５は、整流子１４を挟持するように整流子１４を挟んで対向して配置されている。具体的には、一対のブラシ１５の内側の先端部は、整流子１４に当接している。本実施の形態において、ブラシ１５の長手方向の内側（回転軸１３側）の端面が整流子１４との接触面となっている。
【００３１】
遠心ファン２０は、ファンケース４０とブラケット５０とにより構成される外郭筐体（ハウジング）内に空気を吸引する。遠心ファン２０は、電動機１０が有する回転軸１３の所定の部位に取り付けられており、回転軸１３が回転することで回転する。遠心ファン２０が回転することにより風圧が発生し、ファンケース４０の吸気口４０ａから空気が吸い込まれる。
【００３２】
本実施の形態において、遠心ファン２０は、回転軸１３の先端部に取り付けられている。遠心ファン２０は、例えば、締結ナットとともに回転軸１３に挿入され、回転軸１３の端面に設けられたネジによって締結ナットを締め付けることで回転軸１３に加圧保持されている。なお、遠心ファン２０は、遠心ファン２０に形成された穴に回転軸１３を圧入することによって、遠心ファン２０を回転軸１３に固定してもよい。
【００３３】
遠心ファン２０は、中心に吸込口を有する第１側板２１と、所定の間隙を隔てて第１側板２１に対面する第２側板２２と、第１側板２１および第２側板２２に挟持された複数のファン翼２３とを有する。複数のファン翼２３は、等間隔で渦巻き状となるように配置されている。第１側板２１、第２側板２２およびファン翼２３は、例えばアルミニウム板によって構成されているが、これに限らない。本実施の形態において、ファン翼２３は、６枚設けられているが、ファン翼２３の枚数は、６枚に限るものではなく、１１枚等であってもよい。
【００３４】
エアガイド３０には、遠心ファン２０から排出された空気が流れ込む。エアガイド３０は、遠心ファン２０から排出された空気の流れを整流してブラケット５０へと滑らかに流し込む。エアガイド３０は、遠心ファン２０の外周に配置されたディフューザ翼３２を有する。エアガイド３０は、樹脂製および金属製のいずれであってもよいが、本実施の形態では、樹脂製である。なお、エアガイド３０の詳細な構成については、後述する。
【００３５】
ファンケース４０は、遠心ファン２０およびエアガイド３０を覆うカバーである。ファンケース４０は、遠心ファン２０およびエアガイド３０の上方部分を覆う蓋部４１（第１ファンケース部）と、遠心ファン２０およびエアガイド３０の側方部分を覆う側壁部４２（第２ファンケース部）とを有する。
【００３６】
ファンケース４０は、ブラケット５０に固定されている。具体的には、ファンケース４０の側壁部４２とブラケット５０の蓋部５２とが接続されることで、ファンケース４０の側壁部４２とブラケット５０の蓋部５２とが固定されている。
【００３７】
ファンケース４０は、外気を吸引するための吸気口４０ａを有している。遠心ファン２０が回転することで、ファンケース４０の吸気口４０ａからファンケース４０内に空気が流れ込む。
【００３８】
ブラケット５０は、電動機１０を収納する筐体である。具体的には、ブラケット５０は、回転子１１および固定子１２を収納する。本実施の形態において、ブラケット５０は、フレーム５１（第１ブラケット部）と、蓋部５２（第２ブラケット部）とを有する。
【００３９】
フレーム５１は、電動機１０を収納する筐体である。フレーム５１の底部の側壁には、遠心ファン２０の回転によって吸引した空気を排出する複数の排気口５１ａが設けられている。
【００４０】
蓋部５２は、フレーム５１の開口に蓋をするように配置された板部材である。蓋部５２には、複数（本実施の形態では２つ）の開口部５２ａが形成されている。つまり、蓋部５２は、フレーム５１の開口を部分的に覆っている。エアガイド３０で整流された空気は、蓋部５２の開口部５２ａを通過してブラケット５０（フレーム５１）内に流入する。
【００４１】
次に、本実施の形態に係る電動送風機１に用いられるエアガイド３０の詳細な構成について、図２〜図４を参照しながら、図５〜図９を用いて説明する。図５は、実施の形態１に係る電動送風機１に用いられるエアガイド３０を表側（ファンケース４０側）から見たときの斜視図である。図６は、同エアガイド３０を裏側（回転子１１側）から見たときの斜視図である。図７は、同エアガイド３０の上面図である。図８Ａは、実施の形態１に係る電動送風機１の水平断面図である。図８Ａでは、ファンケース４０の側壁部４２を通り且つ回転軸１３を法線とする水平面で切断したときの断面を示している。なお、図８Ａでは、遠心ファン２０を省略している。図８Ｂは、図８Ａの一点鎖線で囲まれる領域ＶＩＩＩＢの拡大上面図である。また、図９は、図７の破線で囲まれる領域ＩＸの拡大上面図である。
【００４２】
図５〜図７に示すように、エアガイド３０は、仕切り板３１と、複数のディフューザ翼３２と、複数の戻り翼３３と、複数のガイド翼３４とを有する。
【００４３】
図２に示すように、仕切り板３１は、遠心ファン２０とブラケット５０との間を仕切っている。また、図５〜図７に示すように、仕切り板３１は、複数のディフューザ翼３２と複数の戻り翼３３との間も仕切っている。つまり、複数のディフューザ翼３２と複数の戻り翼３３とは、仕切り板３１を介して設けられている。
【００４４】
図４に示すように、複数のディフューザ翼３２は、仕切り板３１の表側の面（遠心ファン２０側の面）に設けられている。また、複数のディフューザ翼３２は、遠心ファン２０の側方を囲むように設けられている。つまり、各ディフューザ翼３２は、遠心ファン２０の外周に位置している。
【００４５】
複数のディフューザ翼３２は、各々が湾曲する板形状であり、仕切り板３１に立設されている。本実施の形態において、ディフューザ翼３２は、１６枚設けられているが、ディフューザ翼３２の枚数は、１６枚に限られない。
【００４６】
図５〜図７に示すように、複数の戻り翼３３は、仕切り板３１の裏側の面（遠心ファン２０側の反対側の面、本実施の形態における回転子１１側の面）に設けられている。複数の戻り翼３３は、各々が湾曲する板形状であり、仕切り板３１に立設されている。戻り翼３３は、ディフューザ翼３２と同じ数だけ設けられている。具体的には、戻り翼３３は、１６枚設けられている。
【００４７】
各ディフューザ翼３２と各戻り翼３３とは、ガイド翼３４によって連結されている。つまり、エアガイド３０には複数のガイド翼３４が設けられており、１つのディフューザ翼３２と１つのガイド翼３４と１つの戻り翼３３とは、一続きに一体に形成されており、仕切り板３１の表裏にわたって連続して形成された一つの翼となっている。
【００４８】
複数のガイド翼３４の各々は、仕切り板３１から突出して設けられている。本実施の形態において、ディフューザ翼３２とガイド翼３４との境界点は、仕切り板３１の外周端上の点となっている。
【００４９】
本実施の形態において、複数のガイド翼３４は、当該ガイド翼３４に対応するディフューザ翼３２および戻り翼３３の各々に対して傾斜している。具体的には、ガイド翼３４は、エアガイド３０を側方から見たときに傾斜するようにして形成されている。
【００５０】
ディフューザ翼３２とガイド翼３４とは同じ厚みである。ディフューザ翼３２およびガイド翼３４の各々の両面は面一になっている。しかし、各ガイド翼３４は、当該ガイド翼３４に対応するディフューザ翼３２に対して緩やかにひねるように形成されている。したがって、複数のガイド翼３４の各々の側面は、当該ガイド翼３４と連続して設けられたディフューザ翼３２の側面に対して傾斜している。つまり、ディフューザ翼３２の側面の向きが変化し始める点が、ガイド翼３４の開始点となっている。本実施の形態では、この点がディフューザ翼３２とガイド翼３４との境界点になっている。
【００５１】
ガイド翼３４は、当該ガイド翼３４に連続する戻り翼３３に対しては、戻り翼３３の端部から立設するように形成されている。つまり、戻り翼３３とガイド翼３４との連結部分において、戻り翼３３からガイド翼３４にわたって屈曲するようにして連続して形成されている。
【００５２】
図５に示すように、エアガイド３０の表側から見たときに、複数のディフューザ翼３２は、右回りの渦巻き状に等間隔で設けられている。図６に示すように、エアガイド３０の裏側から見たときに、複数の戻り翼３３も、右回りの渦巻き状に等間隔で設けられている。したがって、図７に示すように、エアガイド３０の表側の一方向から見たときに、複数のディフューザ翼３２と複数の戻り翼３３とは、互いに反対回りとなる関係で設けられている。
【００５３】
図８Ａに示すように、仕切り板３１の遠心ファン２０側（表側）には、複数のディフューザ翼３２によって複数のディフューザ通風路３０ａが形成されている。図８Ａにおいて、ｎ番目の１つのディフューザ通風路３０ａを、右上がり線のハッチングで示している。
【００５４】
複数のディフューザ通風路３０ａの各々は、隣り合う２つのディフューザ翼３２と仕切り板３１とファンケース４０の蓋部４１とで囲まれる空気流路である。つまり、各ディフューザ通風路３０ａは、２つのディフューザ翼３２の内面を一対の側面とし、仕切り板３１の表面を底面とし、ファンケース４０の蓋部４１の内面を上面とする空間領域である。
【００５５】
ディフューザ翼３２で構成されるディフューザ通風路３０ａは、遠心ファン２０の回転により昇圧された空気の流れの速度を徐々に下げて圧力を回復させる機能を有する。このため、ディフューザ通風路３０ａは、エアガイド３０の内側から外側に向かって、ディフューザ通風路３０ａの断面積が徐々に拡大するように構成されている。具体的には、遠心ファン２０から排出された空気が入り込むディフューザ通風路３０ａの入り口側からエアガイド３０の外方であるディフューザ通風路３０ａの出口側に向かって、隣り合う２つのディフューザ翼３２の間隔が徐々に広くなっている。
【００５６】
一方、仕切り板３１の回転子１１側（裏側）には、複数の戻り翼３３によって複数の戻り通風路３０ｂが形成されている。図８Ａにおいて、ｎ番目（ｎは自然数）の１つの戻り通風路３０ｂを、右下がり線のハッチングで示している。
【００５７】
複数の戻り通風路３０ｂの各々は、隣り合う２つの戻り翼３３と仕切り板３１とで囲まれる空気流路である。つまり、戻り通風路３０ｂは、２つの戻り翼３３の内面を一対の側面とし、仕切り板３１の裏面を上面とする空間領域である。
【００５８】
戻り通風路３０ｂは、エアガイド３０の表側のディフューザ通風路３０ａからエアガイド３０の裏側に折り返して流れ込んだ空気をエアガイド３０の中央側に戻してエアガイド３０の裏側の全体からエアガイド３０の下方に空気を流す機能を有する。
【００５９】
したがって、エアガイド３０の側方には、複数のディフューザ通風路３０ａの各々から複数の戻り通風路３０ｂの各々に空気の流路を折り返すための通風路として折り返し通風路３０ｃが形成されている。図８Ａにおいて、ｎ番目（ｎは自然数）の１つの折り返し通風路３０ｃを、散点状のハッチングで示している。また、図８Ａにおいて、ｎ−１番目、ｎ番目およびｎ＋１番目の隣り合う３つの折り返し通風路３０ｃについては、ｎ−１、ｎ、ｎ＋１の記号に下線を引いて示している。
【００６０】
複数の折り返し通風路３０ｃの各々は、ディフューザ翼３２によって構成されるディフューザ通風路３０ａから戻り通風路３０ｂへと空気の流れの向きを変更する流れ変更部である。このため、複数のディフューザ通風路３０ａの各々と複数の戻り通風路３０ｂの各々とは、折り返し通風路３０ｃによって繋がっている。つまり、１つのディフューザ通風路３０ａと１つの戻り通風路３０ｂとは、１つの折り返し通風路３０ｃによって一本道で繋がっている。したがって、例えば、ｎ番目のディフューザ通風路３０ａに流れる空気は、ｎ番目の折り返し通風路３０ｃで折り返されて、ｎ番目の戻り通風路３０ｂを通過することになる。なお、戻り通風路３０ｂはディフューザ通風路３０ａと同じ数だけ形成されるので、折り返し通風路３０ｃもディフューザ通風路３０ａと同じ数だけ形成される。
【００６１】
本実施の形態において、複数の折り返し通風路３０ｃには、ガイド翼３４が設けられている。したがって、ディフューザ通風路３０ａを通過した空気は、ガイド翼３４で導かれて折り返し通風路３０ｃを通過して、戻り通風路３０ｂに流れ込む。つまり、ガイド翼３４は、複数のディフューザ通風路３０ａの各々を流れる空気を対応する折り返し通風路３０ｃに導く機能を有する。
【００６２】
複数の折り返し通風路３０ｃの各々は、隣り合う２つのガイド翼３４とファンケース４０の側壁部４２とで囲まれる空気流路である。つまり、ディフューザ通風路３０ａを通過した空気は、折り返し通風路３０ｃにおいて、ガイド翼３４でガイドされながらファンケース４０の側壁部４２に衝突して戻り通風路３０ｂに流れ込む。
【００６３】
図５〜図７に示すように、エアガイド３０の外周領域には、貫通孔３５が設けられている。本実施の形態において、貫通孔３５は、仕切り板３１の外周領域に設けられており、且つ、ディフューザ通風路３０ａと戻り通風路３０ｂとを連通させている。
【００６４】
具体的には、貫通孔３５は、ディフューザ通風路３０ａの終端領域に設けられている。つまり、貫通孔３５は、仕切り板３１におけるディフューザ翼３２が概ね終了する部分に設けられている。本実施の形態において、貫通孔３５は、ディフューザ通風路３０ａにおける折り返し通風路３０ｃとの境界領域周辺に設けられている。なお、貫通孔３５の開口形状は、例えば円形であるが、矩形状等の円形以外の形状であってもよい。
【００６５】
図９に示すように、エアガイド３０を上面視したときに、複数のディフューザ翼３２と対応する複数のガイド翼３４との境界点ＢＰを結んでできる円または多角形を境界線ＢＬとすると、貫通孔３５が設けられたエアガイド３０の外周領域は、境界線ＢＬよりも外側の領域である。したがって、貫通孔３５は、境界線ＢＬよりも外側に位置している。なお、図９では、境界線ＢＬは、隣り合う２つの境界点ＢＰ同士を直線で結んだ多角形として図示されている。
【００６６】
本実施の形態において、貫通孔３５は、複数のディフューザ通風路３０ａの各々に複数ずつ設けられている。具体的には、図８Ａおよび図９に示すように、各ディフューザ通風路３０ａには、複数の貫通孔３５として、第１貫通孔３５ａおよび第２貫通孔３５ｂの２つが設けられている。第１貫通孔３５ａおよび第２貫通孔３５ｂの各々の開口形状は、例えば円形であるが、円形以外の矩形状等の形状であってもよい。なお、第１貫通孔３５ａの開口形状と第２貫通孔３５ｂの開口形状は、同じであってもよいし、異なっていてもよい。
【００６７】
また、第１貫通孔３５ａと第２貫通孔３５ｂとは、開口面積が異なっている。本実施の形態では、ディフューザ通風路３０ａを流れる空気の内側（空気の流れのインコース側）に対応する部分の第１貫通孔３５ａの開口面積を、ディフューザ通風路３０ａを流れる空気の外側（空気の流れのアウトコース側）に対応する部分の第２貫通孔３５ｂの開口面積よりも大きくしている。一例として、第１貫通孔３５ａの開口径は、φ１．２ｍｍであり、第２貫通孔３５ｂの開口径は、φ１．０ｍｍである。
【００６８】
図８Ａに示すように、貫通孔３５（第１貫通孔３５ａ、第２貫通孔３５ｂ）は、複数のディフューザ通風路３０ａのうち、第１のディフューザ通風路３０ａｎと、複数の戻り通風路３０ｂのうち、第１のディフューザ通風路３０ａｎに繋がっている第１の戻り通風路３０ｂｎの隣りに位置する第２の戻り通風路３０ｂｎ＋１とを連通させている。
【００６９】
例えば、複数のディフューザ通風路３０ａのうちのｎ番目のディフューザ通風路３０ａに設けられた貫通孔３５は、複数の戻り通風路３０ｂのうちのｎ番目の戻り通風路３０ｂに連通しているのではなく、ｎ番目の戻り通風路３０ｂの隣りに位置するｎ＋１番目の戻り通風路３０ｂに連通している。
【００７０】
なお、ディフューザ通風路３０ａおよび戻り通風路３０ｂの渦巻きの巻き方向等によっては、ｎ番目のディフューザ通風路３０ａに設けられた貫通孔３５は、ｎ＋１番目の戻り通風路３０ｂではなく、ｎ−１番目の戻り通風路に連通していてもよい。
【００７１】
このように構成される電動送風機１では、電動機１０が有する回転子１１で発生する磁束と固定子１２で発生する磁束との相互作用によって生じた磁気力が回転子１１を回転させるトルクとなり、回転子１１が回転する。
【００７２】
電動機１０が有する回転子１１が回転すると、電動機１０が有する回転軸１３に固定された遠心ファン２０が回転し、図２の矢印で示すように、ファンケース４０の吸気口４０ａからファンケース４０の内部に空気が吸引される。これにより、遠心ファン２０に空気が流れ込み、遠心ファン２０の中央の吸気口から外周側に向かって流れる気流が生じて、遠心ファン２０の側部から排出される。このとき、遠心ファン２０に流れ込んだ空気は、遠心ファン２０が有するファン翼２３によって、高圧に圧縮される。
【００７３】
遠心ファン２０から排出された空気は、遠心ファン２０の外周に配置されたエアガイド３０が有する複数のディフューザ通風路３０ａに流れ込む。遠心ファン２０から排出されてエアガイド３０に流入した空気は、図８Ａの太線矢印に示すように、各ディフューザ通風路３０ａを通って外方（ファンケース４０の側壁部４２側）に向かって流れて、折り返し通風路３０ｃで折り返された後、エアガイド３０の裏面の戻り通風路３０ｂに流入する。このとき、ディフューザ通風路３０ａから折り返し通風路３０ｃに向かう空気は、ファンケース４０の側壁部４２の内面に当たり、折り返し通風路３０ｃにおいて、気流の向きが外方から内方に変化するように旋回した旋回流となって、戻り通風路３０ｂに流入する。
【００７４】
エアガイド３０が有する戻り通風路３０ｂを通過した空気は、ブラケット５０が有する蓋部５２に形成された開口部５２ａを介して、ブラケット５０（フレーム５１）内に流入する。ブラケット５０内に流入した空気は、電動機１０が有する回転子１１および固定子１２等の電動機１０の部品を冷却しながら、ブラケット５０に設けられた排気口５１ａから電動送風機１の外に吐き出される。
【００７５】
本実施の形態における電動送風機１では、エアガイド３０の外周領域に貫通孔３５が設けられている。具体的には、仕切り板３１の外周領域に、ディフューザ通風路３０ａと戻り通風路３０ｂとを連通させる貫通孔３５が設けられている。この構成により、電動送風機１の性能を低下させることなく、電動送風機１の騒音を抑制することができる。以下、この点について詳述する。
【００７６】
エアガイド３０が有するディフューザ通風路３０ａでは、ディフューザ通風路３０ａに流れる空気の速度を減速させることで、遠心ファン２０で昇圧された空気の圧力を回復させている。つまり、ディフューザ通風路３０ａでは、遠心ファン２０で発生した運動エネルギーを圧力エネルギーに変換している。これにより、電動送風機１の効率を向上させることができる。
【００７７】
この場合、仮に、ディフューザ通風路３０ａの中間部分において、仕切り板３１又はディフューザ翼３２に、ディフューザ通風路３０ａと戻り通風路３０ｂとを連通させる貫通孔を設けると、ディフューザ通風路３０ａに流れる空気の速度が充分に減速していない箇所において、空気の流れに乱れを生じさせてしまう。このため、ディフューザ通風路３０ａにおける圧力回復に損失を生じさせる結果となり、電動送風機の効率が低下してしまう。
【００７８】
これに対して、本実施の形態における電動送風機１では、エアガイド３０の外周領域に貫通孔３５が設けられている。具体的には、貫通孔３５は、仕切り板３１の外周領域に設けられている。より具体的には、貫通孔３５は、ディフューザ通風路３０ａの終端領域に設けられている。つまり、仕切り板３１におけるディフューザ翼３２が概ね終了する部分に貫通孔３５が設けられている。このため、ディフューザ通風路３０ａを流れる空気の速度を所望に減速させることができ、ディフューザ通風路３０ａに流れる空気の流れが乱れることがほぼない。したがって、貫通孔３５を設けたとしても、電動送風機１の効率が低下しない。
【００７９】
また、本実施の形態における電動送風機１では、貫通孔３５は、ディフューザ通風路３０ａと戻り通風路３０ｂとを連通させている。この構成により、ディフューザ通風路３０ａから戻り通風路３０ｂに流れる空気の経路としては、貫通孔３５を経由せずに折り返し通風路３０ｃを経由して戻り通風路３０ｂに流入する第１経路と、折り返し通風路３０ｃを経由せずに貫通孔３５を経由して戻り通風路３０ｂに流入する第２経路とが存在することになる。
【００８０】
この結果、第１経路を通った第１の空気と第２経路を通った第２の空気とではトータルの通風路の長さが異なることから、戻り通風路３０ｂの合流位置において第１の空気の音波の位相と第２の空気の音波の位相とがずれることになる。つまり、第１の空気の音波と第２の空気の音波とで位相差が生じることになる。これにより、第１の空気の音波と第２の空気の音波とが打ち消し合うこととなり、エアガイド３０を流れる空気の音圧が抑制される。
【００８１】
なお、本実施の形態では、図８Ｂに示すように、第１のディフューザ通風路３０ａｎ（例えばｎ番目のディフューザ通風路３０ａ）を流れる空気は、第１のディフューザ通風路３０ａｎに繋がる折り返し通風路３０ｃｎ（ｎ番目の折り返し通風路３０ｃ）を経由して第１のディフューザ通風路３０ａｎに繋がる第１の戻り通風路３０ｂｎ（ｎ番目の戻り通風路３０ｂ）に流れる第１の空気と、第１のディフューザ通風路３０ａｎの隣りの第２のディフューザ通風路３０ａｎ＋１（ｎ＋１番目のディフューザ通風路３０ａ）を流れる空気のうち貫通孔３５を経由して第２のディフューザ通風路３０ａｎ＋１に繋がる第２の戻り通風路３０ｂｎ＋１（ｎ＋１番目の戻り通風路３０ｂ）に流れる第２の空気とが、第２のディフューザ通風路３０ａｎ＋１に繋がる第２の戻り通風路３０ｂｎ＋１（ｎ＋１番目の戻り通風路３０ｂ）で合流することになる。
【００８２】
このように、本実施の形態における電動送風機１では、遠心ファン２０から排出された空気は、エアガイド３０のディフューザ通風路３０ａを通過することで流れの速度が徐々に下がって圧力が回復された後、折り返し通風路３０ｃを通る経路である第１経路を通って戻り通風路３０ｂへと流れる第１の空気（第１の流れ）と、貫通孔３５を通る経路である第２経路を通って戻り通風路３０ｂへと流れる第２の空気（第２の流れ）とに分かれることになる。
【００８３】
そして、折り返し通風路３０ｃを通る第１の空気と貫通孔３５を通る第２の空気とはトータルの通風路の長さが異なるため、第１の空気と第２の空気とが戻り通風路３０ｂで合流した時に第１の空気の音波と第２の空気の音波とに位相差が生じて互いに打ち消すことになり、音圧が抑制される。
【００８４】
また、貫通孔３５を通る第２の空気は、貫通孔３５をバイパスとして折り返し通風路３０ｃをショートカットして戻り通風路３０ｂに流れていくため、折り返し通風路３０ｃを通る第１の空気と比べてトータルの通風路の長さが短くなる。しかし、貫通孔３５は、仕切り板３１の外周領域（具体的にはディフューザ通風路３０ａの終端領域）に設けられているので、ディフューザ通風路３０ａにおける圧力回復の損失が生じない。
【００８５】
以上説明したように、本実施の形態における電動送風機１によれば、性能を低下させることなく騒音を抑制することができる。
【００８６】
また、本実施の形態における電動送風機１では、貫通孔３５は、複数のディフューザ通風路３０ａのうち、第１のディフューザ通風路３０ａｎと、複数の戻り通風路３０ｂのうち、当該第１のディフューザ通風路３０ａｎに繋がっている第１の戻り通風路３０ｂｎの隣りに位置する第２の戻り通風路３０ｂｎ＋１とを連通させている。
【００８７】
この構成により、折り返し通風路３０ｃｎ＋１を通る第１の空気の音波と、貫通孔３５を通る第２の空気の音波とで、位相差が生じやすくなる。このため、電動送風機１の騒音を一層効果的に抑制することができる。
【００８８】
また、本実施の形態における電動送風機１では、貫通孔３５は、複数のディフューザ通風路３０ａの各々に複数ずつ設けられている。
【００８９】
このように、１箇所のディフューザ通風路３０ａに複数の貫通孔３５を設けることで、貫通孔３５を通る第２の空気の中だけでも通風路の長さが異なる複数の空気を生成することができる。つまり、折り返し通風路３０ｃを通る第１の空気を合わせて、少なくとも３つ以上の通風路の長さが異なる空気が存在することになる。これにより、騒音を抑制する効果のある周波数の範囲を広げることができるので、電動送風機１の騒音を一層抑制することができる。
【００９０】
さらに、本実施の形態における電動送風機１では、複数のディフューザ通風路３０ａの各々に設けられた複数の貫通孔３５には、開口面積が異なる第１貫通孔３５ａと第２貫通孔３５ｂとが含まれている。
【００９１】
このように、１箇所のディフューザ通風路３０ａに設けられた複数の貫通孔３５の開口面積を異ならせることによっても、騒音を抑制する効果のある周波数の範囲を広げることができる。これにより、電動送風機１の騒音を一層抑制することができる。
【００９２】
ここで、本実施の形態における電動送風機１の効果を検証するための実験を行ったので、その実験結果について説明する。本実験では、実施例の電動送風機１として、図１〜図９に示される上記電動送風機１を用いた。また、実施例の電動送風機１の比較対象として、図１０に示される比較例の電動送風機１Ｘを用いた。図１０に示される比較例の電動送風機１Ｘは、貫通孔３５が設けられていない点以外は、実施例の電動送風機１と同じ構成である。
【００９３】
そして、実施例の電動送風機１と比較例の電動送風機１Ｘとについて、電動送風機の風量−静圧特性（ＰＱ特性）と音圧レベルを評価した。その結果を図１１および図１２に示す。図１１は、実施例の電動送風機１のＰＱ特性と比較例の電動送風機１ＸのＰＱ特性とを示す図である。図１２は、実施例の電動送風機１と比較例の電動送風機１Ｘとにおける周波数に対する音圧レベルを示す図である。図１２は、図１１において、風量が２０ｌ／ｓｅｃのときの測定結果を示している。なお、図１１および図１２において、実施例の電動送風機１を「実施例」と表記し、比較例の電動送風機１Ｘを「比較例」と表記している。
【００９４】
実施例の電動送風機１には貫通孔３５が設けられている。実施例の電動送風機１は、貫通孔３５が設けられていない比較例の電動送風機１Ｘとほぼ同等の性能を有することが分かる。つまり、エアガイド３０の外周領域に貫通孔３５を設けても電動送風機としての性能が低下しないことが確認できた。
【００９５】
また、図１２に示すように、実施例の電動送風機１は、比較例の電動送風機１Ｘに対して、音圧が低下しており、騒音が抑制されることが分かった。具体的には、周波数が１０００Ｈｚ〜８０００Ｈｚの範囲では、音圧が２ｄＢ〜７ｄＢ程度低下することが分かった。特に、３１５０Ｈｚ〜４０００Ｈｚの周波数では、音圧が５ｄＢ以上低下することが分かった。
【００９６】
なお、本実験では、遠心ファン２０の回転数（Ｎ）と遠心ファン２０の翼数（Ｚ）との積が４０００に設定されている。したがって、図１２に示すように、ＮＺ音に対応する周波数（４０００Ｈｚ）では効果があるが、ＮＺ音の２倍（２ＮＺ）に対応する周波数（８０００Ｈｚ）では、あまり効果がないことも分かる。
【００９７】
以上、実験結果からも分かるように、実施例の電動送風機１によれば、エアガイド３０の外周領域に貫通孔３５を設けることで、電動送風機本来の性能を低下させることなく、騒音を効果的に抑制することができる。
【００９８】
なお、本実施の形態において、貫通孔３５の開口形状は、円形としたが、これに限られない。例えば、図１３に示されるエアガイド３０Ａのように、仕切り板３１の外周領域に、スリット状の貫通孔３５Ａを設けてもよい。図１３は、変形例１に係るエアガイドの拡大上面図である。この場合、貫通孔３５Ａの長手方向は、ディフューザ通風路３０ａの流れ方向に沿った方向となっていてもよい。しかし、貫通孔３５Ａが長くなりすぎると、ディフューザ通風路３０ａにおける圧力回復に損失を生じさせるおそれがある。このため、貫通孔３５Ａの長手方向は、図１３に示すように、エアガイド３０Ａの周方向に沿った方向にするとよい。
【００９９】
また、本実施の形態において、ディフューザ通風路３０ａの終端領域に貫通孔３５を設けて、ディフューザ通風路３０ａと戻り通風路３０ｂとを連通させていたが、これに限らない。例えば、図１４に示されるエアガイド３０Ｂのように、折り返し通風路３０ｃにおける戻り翼３３の部分に貫通孔３５を設けてもよい。この場合、貫通孔３５は、エアガイド３０Ｂの外周領域に設けられている。ディフューザ通風路３０ａと戻り通風路３０ｂとを連通させているのではなく、折り返し通風路３０ｃと戻り通風路３０ｂとを連通させている。具体的には、図１４に示される貫通孔３５は、複数の折り返し通風路３０ｃのうちの第１の折り返し通風路３０ｃｎと、複数の戻り通風路３０ｂのうちの当該第１の折り返し通風路３０ｃｎに繋がっている第１の戻り通風路３０ｂｎの隣りに位置する第２の戻り通風路３０ｂｎ＋１とを連通させている。
【０１００】
以上の説明から明らかなように、本実施の形態における電動送風機１は、電動機１０と、遠心ファン２０と、エアガイド３０と、を備える。
【０１０１】
電動機１０は、回転子１１および回転子１１に取り付けられた回転軸１３を有する。遠心ファン２０は、回転軸１３に取り付けられている。
【０１０２】
エアガイド３０には、遠心ファン２０から排出された空気が流れ込む。エアガイド３０は、仕切り板３１と、遠心ファン２０側の面に複数のディフューザ翼３２とディフューザ通風路３０ａと、遠心ファン２０の反対側の面に複数の戻り翼３３と戻り通風路３０ｂと、折り返し通風路３０ｃと、を有する。
【０１０３】
複数のディフューザ翼３２は、遠心ファン２０の側方を囲むように設けられる。各ディフューザ通風路３０ａは、複数のディフューザ翼３２のうち隣り合う一組のディフューザ翼３２によって形成される。ディフューザ通風路３０ａは、第１のディフューザ通風路３０ａｎと、第１のディフューザ通風路３０ａｎと隣り合う第２のディフューザ通風路３０ａｎ＋１と、を含む。
【０１０４】
各戻り通風路３０ｂは、複数の戻り翼３３のうち隣り合う一組の戻り翼３３によって形成される。戻り通風路３０ｂは、第１のディフューザ通風路３０ａｎと連絡する第１の戻り通風路３０ｂｎと、第１の戻り通風路３０ｂｎと隣り合う第２の戻り通風路３０ｂｎ＋１と、を含む。
【０１０５】
各折り返し通風路３０ｃは、ひとつのディフューザ通風路３０ａとひとつの戻り通風路３０ｂのそれぞれを連絡する。
【０１０６】
電動送風機１において、エアガイド３０の外周領域には、ディフューザ通風路３０ａまたは折り返し通風路３０ｃと戻り通風路３０ｂとを連通させる貫通孔３５を有する。
【０１０７】
特に、顕著な作用効果を奏する構成は、以下のとおりである。
【０１０８】
すなわち、貫通孔３５は、仕切り板３１の外周領域に設けられている。且つ、貫通孔３５は、ディフューザ通風路３０ａと戻り通風路３０ｂとを連通させている。
【０１０９】
貫通孔３５は、ディフューザ通風路３０ａの終端領域に位置する。
【０１１０】
貫通孔３５は、第１のディフューザ通風路３０ａｎと、第２の戻り通風路３０ｂｎ＋１とを連通させている。
【０１１１】
エアガイド３０は、第１のディフューザ通風路３０ａｎと第１の戻り通風路３０ｂｎとを連絡する第１の折り返し通風路３０ｃｎをさらに有する。貫通孔３５は、第１の折り返し通風路３０ｃｎと、第２の戻り通風路３０ｂｎ＋１とを連通させている。
【０１１２】
エアガイド３０は、複数のディフューザ通風路３０ａのそれぞれを流れる空気を複数の折り返し通風路３０ｃのそれぞれに導く複数のガイド翼３４を有する。複数のガイド翼３４は、複数のディフューザ翼３２のそれぞれと連続して設けられる。エアガイド３０を上面視したときに、複数のディフューザ翼３２のそれぞれと複数のガイド翼３４のそれぞれとの境界点ＢＰを結んでできる円または多角形を境界線ＢＬとする。このとき、貫通孔３５が設けられたエアガイド３０の外周領域は、境界線ＢＬよりも外側の領域である。
【０１１３】
ガイド翼３４は、仕切り板３１から突出して設けられている。
【０１１４】
ガイド翼３４が有する側面は、ガイド翼３４と連続して設けられたディフューザ翼３２が有する側面に対して傾斜している。
【０１１５】
貫通孔３５は、複数のディフューザ通風路３０ａの各々に複数ずつ設けられている。
【０１１６】
ディフューザ通風路３０ａに設けられた複数の貫通孔３５には、開口面積が異なる第１貫通孔３５ａと第２貫通孔３５ｂとが含まれる。
【０１１７】
以上のように、本実施の形態の電動送風機１は、回転子１１および回転子１１に取り付けられた回転軸１３を有する電動機１０と、回転軸１３に取り付けられた遠心ファン２０と、遠心ファン２０から排出された空気が流れ込み、遠心ファン２０が位置する側を遠心ファン２０側の面とし、遠心ファン２０側の面の反対側を遠心ファン２０の反対側の面とする、仕切り板３１と、遠心ファン２０側の面に、遠心ファン２０の側方を囲むように設けられた複数のディフューザ翼３２と、複数のディフューザ翼３２のうち隣り合う一組のディフューザ翼３２によってそれぞれ形成される、第１のディフューザ通風路３０ａｎと、第１のディフューザ通風路３０ａｎと隣り合う第２のディフューザ通風路３０ａｎ＋１と、を含む、ディフューザ通風路３０ａと、遠心ファン２０の反対側の面に、複数の戻り翼３３と、複数の戻り翼３３のうち隣り合う一組の戻り翼３３によってそれぞれ形成され、第１のディフューザ通風路３０ａｎと連絡する第１の戻り通風路３０ｂｎと、第１の戻り通風路３０ｂｎと隣り合う第２の戻り通風路３０ｂｎ＋１と、を含む、戻り通風路３０ｂと、ディフューザ通風路３０ａと戻り通風路３０ｂのそれぞれを連絡する折り返し通風路３０ｃと、を有するエアガイド３０と、を備え、エアガイド３０の外周領域には、ディフューザ通風路３０ａまたは折り返し通風路３０ｃと戻り通風路３０ｂとを連通させる貫通孔３５を有する。
【０１１８】
これにより、電動送風機の性能を低下させることなく、騒音を抑制することができる電動送風機等を実現することができる。
【０１１９】
（実施の形態２）
実施の形態２として、実施の形態１に係る電動送風機１を用いた電気機器について説明する。
【０１２０】
電動送風機１を用いた電気掃除機２について、図１５を用いて説明する。図１５は、実施の形態２に係る電気掃除機２の一例を示す模式図である。
【０１２１】
図１５に示すように、電気掃除機２は、電動送風機１と、電動送風機１（電動機１０）を制御する制御部２ａとを備えている。電気掃除機２は、電動送風機１によって空気を吸引することで清掃する。制御部２ａは、電動送風機１（電動機１０）を制御する。例えば、制御部２ａは、電動送風機１による吸引を開始したり、吸引を停止したり、吸引量を調整したりする。
【０１２２】
このように、本実施の形態における電気掃除機２は、実施の形態１における電動送風機１を用いているので、低騒音の電気掃除機を実現することができる。
【０１２３】
また、図１６に示すように、電動送風機１は、手を風で乾かすエアタオル３に用いてもよい。図１６は、実施の形態２に係るエアタオル３の一例を示す模式図である。
【０１２４】
図１６に示すように、エアタオル３は、電動送風機１と、電動送風機１（電動機１０）を制御する制御部３ａとを備えている。エアタオル３は、電動送風機１によって温風または冷風を送風する。制御部３ａは、電動送風機１（電動機１０）を制御する。例えば、制御部３ａは、電動送風機１による送風を開始したり、送風を停止したり、送風量を調整したりする。
【０１２５】
このように、本実施の形態におけるエアタオル３は、実施の形態１における電動送風機１を用いているので、低騒音のエアタオルを実現することができる。
【０１２６】
（変形例）
以上、本開示に係る電動送風機、電気掃除機およびエアタオル等について、実施の形態に基づいて説明した。しかし、本開示は、上記実施の形態に限定されるものではない。
【０１２７】
例えば、実施の形態１では、電動送風機１に用いられる電動機１０として、ブラシ付き整流子電動機を用いたが、これに限られるものではない。電動機１０は、ブラシレス電動機等であってもよい。
【０１２８】
実施の形態１における電動送風機１は、電気掃除機またはエアタオルに適用する場合について説明した。しかし、これに限らず、自動車用機器に適用してもよいし、その他の家庭用機器または産業用機器に適用してもよい。
【０１２９】
例えば、実施の形態１、２に対して当業者が思い付く各種変形を施して得られる形態、または、本開示の趣旨を逸脱しない範囲で各実施の形態における構成要素および機能を任意に組み合わせることで実現される形態も、本開示に含まれる。
【産業上の利用可能性】
【０１３０】
本開示の技術は、電動送風機および電気掃除機等の種々の電気機器に利用することができる。特に、遠心ファンを高速で回転する電気掃除機およびエアタオル等に搭載される電動送風機として有用である。
【符号の説明】
【０１３１】
１、１Ｘ    電動送風機
２    電気掃除機
２ａ、３ａ    制御部
３    エアタオル
１０    電動機
１１    回転子
１１ａ    コア
１１ｂ    コイル
１２    固定子
１３    回転軸
１４    整流子
１５    ブラシ
１６    第１軸受け部
１７    第２軸受け部
２０    遠心ファン
２１    第１側板
２２    第２側板
２３    ファン翼
３０、３０Ａ、３０Ｂ    エアガイド
３０ａ    ディフューザ通風路
３０ａｎ    第１のディフューザ通風路
３０ａｎ＋１    第２のディフューザ通風路
３０ｂ    戻り通風路
３０ｂｎ    第１の戻り通風路
３０ｂｎ＋１    第２の戻り通風路
３０ｃ    折り返し通風路
３０ｃｎ    第１の折り返し通風路
３１    仕切り板
３２    ディフューザ翼
３３    戻り翼
３４    ガイド翼
３５、３５Ａ    貫通孔
３５ａ    第１貫通孔
３５ｂ    第２貫通孔
４０    ファンケース
４０ａ    吸気口
４１    蓋部
４２    側壁部
５０    ブラケット
５１    フレーム
５１ａ    排気口
５２    蓋部
５２ａ    開口部
【手続補正２】
【補正対象書類名】特許請求の範囲
【補正対象項目名】全文
【補正方法】変更
【補正の内容】
【特許請求の範囲】
【請求項１】
回転子および前記回転子に取り付けられた回転軸を有する電動機と、
前記回転軸に取り付けられた遠心ファンと、
前記遠心ファンから排出された空気が流れ込み、
前記遠心ファンが位置する側を遠心ファン側の面とし、前記遠心ファン側の面の反対側を遠心ファンの反対側の面とする、仕切り板と、
前記遠心ファン側の面に、
前記遠心ファンの側方を囲むように設けられた複数のディフューザ翼と、
前記複数のディフューザ翼のうち隣り合う一組のディフューザ翼によってそれぞれ形成される、第１のディフューザ通風路と、前記第１のディフューザ通風路と隣り合う第２のディフューザ通風路と、を含む、ディフューザ通風路と、
前記遠心ファンの反対側の面に、
複数の戻り翼と、
前記複数の戻り翼のうち隣り合う一組の戻り翼によってそれぞれ形成され、前記第１のディフューザ通風路と連絡する第１の戻り通風路と、前記第１の戻り通風路と隣り合う第２の戻り通風路と、を含む、戻り通風路と、
前記ディフューザ通風路と前記戻り通風路のそれぞれを連絡する折り返し通風路と、
を有するエアガイドと、
を備え、
前記エアガイドの外周領域には、前記ディフューザ通風路または折り返し通風路と前記戻り通風路とを連通させる貫通孔を有する、
電動送風機。
【請求項２】
前記貫通孔は、前記仕切り板の外周領域に設けられており、且つ、前記ディフューザ通風路と前記戻り通風路とを連通させている、
請求項１に記載の電動送風機。
【請求項３】
前記貫通孔は、前記ディフューザ通風路の終端領域に位置する、
請求項２に記載の電動送風機。
【請求項４】
前記貫通孔は、前記第１のディフューザ通風路と、前記第２の戻り通風路とを連通させている、
請求項２または３に記載の電動送風機。
【請求項５】
前記エアガイドは、前記第１のディフューザ通風路と前記第１の戻り通風路とを連絡する第１の折り返し通風路をさらに有し、
前記貫通孔は、前記第１の折り返し通風路と、前記第２の戻り通風路とを連通させている、
請求項２または３に記載の電動送風機。
【請求項６】
前記エアガイドは、複数の前記ディフューザ通風路のそれぞれを流れる空気を複数の前記折り返し通風路のそれぞれに導く複数のガイド翼を有し、
複数の前記ガイド翼は、前記複数のディフューザ翼のそれぞれと連続して設けられ、
前記エアガイドを上面視したときに、前記複数のディフューザ翼のそれぞれと前記複数のガイド翼のそれぞれとの境界点を結んでできる円または多角形を境界線とすると、前記貫通孔が設けられた前記エアガイドの外周領域は、前記境界線よりも外側の領域である、
請求項１〜５のいずれか一項に記載の電動送風機。
【請求項７】
前記複数のガイド翼は、前記仕切り板から突出して設けられている、
請求項６に記載の電動送風機。
【請求項８】
前記複数のガイド翼が有する側面は、前記ガイド翼と連続して設けられた前記複数のディフューザ翼のひとつが有する側面に対して傾斜している、
請求項６または７に記載の電動送風機。
【請求項９】
前記貫通孔は、複数の前記ディフューザ通風路の各々に複数ずつ設けられている、
請求項１〜８のいずれか一項に記載の電動送風機。
【請求項１０】
前記ディフューザ通風路に設けられた前記複数の貫通孔には、開口面積が異なる第１貫通孔と第２貫通孔とが含まれる、
請求項９に記載の電動送風機。
【請求項１１】
請求項１〜１０のいずれか一項に記載の電動送風機と、
前記電動送風機を制御する制御部と、
を備える、
電気掃除機。
【請求項１２】
請求項１〜１０のいずれか一項に記載の電動送風機と、
前記電動送風機を制御する制御部と、
を備える、
エアタオル。
【手続補正３】
【補正対象書類名】図面
【補正対象項目名】全図
【補正方法】変更
【補正の内容】
【図１】
2019176625.tif 000020
【図２】
2019176625.tif 000021
【図３】
2019176625.tif 000022
【図４】
2019176625.tif 000023
【図５】
2019176625.tif 000024
【図６】
2019176625.tif 000025
【図７】
2019176625.tif 000026
【図８Ａ】
2019176625.tif 000027
【図８Ｂ】
2019176625.tif 000028
【図９】
2019176625.tif 000029
【図１０】
2019176625.tif 000030
【図１１】
2019176625.tif 000031
【図１２】
2019176625.tif 000032
【図１３】
2019176625.tif 000033
【図１４】
2019176625.tif 000034
【図１５】
2019176625.tif 000035
【図１６】
2019176625.tif 000036
【国際調査報告】
2019176625.tif 000037
2019176625.tif 000038
2019176625.tif 000039
2019176625.tif 000040